(57)【特許請求の範囲】
【請求項１】
第１のセルおよび第２のセルと通信しているユーザ機器（ＵＥ）によるワイヤレス通信の方法であって、
前記ＵＥにおいて前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
前記第１のセルに論理チャネルグループの前記セットからの第１の論理チャネルグループを関連付けることと、
前記第１の論理チャネルグループに関連付けられた前記利用可能なデータの第１の量に少なくとも部分的に基づいて第１のバッファステータス値を決定することと、
前記第２のセルに論理チャネルグループの前記セットからの第２の論理チャネルグループを関連付けることと、
前記第２の論理チャネルグループに関連付けられた前記利用可能なデータの第２の量に少なくとも部分的に基づいて第２のバッファステータス値を決定することと、
前記第１のセルに第１のアップリンク報告を送信することと、前記第１のアップリンク報告は前記第１のバッファステータス値に少なくとも部分的に基づき、
前記第２のセルに第２のアップリンク報告を送信することと、前記第２のアップリンク報告は前記第２のバッファステータス値に少なくとも部分的に基づく、
を備え、
前記第１の量は、前記第１の論理チャネルグループのための前記第１のセルに関連付けられた第１のバッファ報告係数に基づき決定され、
前記第２の量は、前記第２の論理チャネルグループのための前記第２のセルに関連付けられた第２のバッファ報告係数に基づき決定される、
方法。
【請求項２】
前記第１のアップリンク報告は前記第１のコンポーネントキャリア上で前記第１のセルに送信され、前記第２のアップリンク報告は前記第２のコンポーネントキャリア上で前記第２のセルに送信される、請求項１に記載の方法。
【請求項３】
前記第１のコンポーネントキャリアについてアップリンク許可要求の送信のための第１のリソースを割り当てる第１の構成を受信することと、
前記第２のコンポーネントキャリアについてアップリンク許可要求の送信のための第２のリソースを割り当てる第２の構成を受信することと、
をさらに備える、請求項２に記載の方法。
【請求項４】
前記第１のアップリンク報告は前記第１のバッファステータス値を含み、前記第２のアップリンク報告は前記第２のバッファステータス値を含む、請求項１に記載の方法。
【請求項５】
前記第１の論理チャネルグループと前記第２の論理チャネルグループとは前記ＵＥの無線リンク制御サブレイヤにおいて同じ論理チャネル識別子に関連付けられる、請求項１に記載の方法。
【請求項６】
第１のバッファステータス報告状態が発生したことを検出すること、
をさらに備え、
前記第１のバッファステータス値を決定することは、前記第１のバッファステータス報告状態の発生時における、論理チャネルグループの前記セットのための前記利用可能なデータの量と前記第１のバッファ報告係数とに基づいて前記第１のバッファステータス値を決定すること、を備え、
前記第１のアップリンク報告は前記第１のバッファステータス値を含む、請求項１に記載の方法。
【請求項７】
前記第１のバッファステータス報告状態の前記発生後に、前記第２のセルに関連付けられたバッファステータス報告機会を検出すること、をさらに備え、
前記第２のバッファステータス値を決定することは、前記第１のバッファステータス報告状態の前記発生時における、論理チャネルグループの前記セットのための前記利用可能なデータの前記量と前記第２のバッファ報告係数とに基づいて、前記第２のバッファステータス値を決定すること、
を備え、
前記第２のアップリンク報告は前記第２のバッファステータス値を含む、請求項６に記載の方法。
【請求項８】
前記第１のアップリンク報告は、前記第１のコンポーネントキャリアの第１のリソースを使用して送信され、前記第２のアップリンク報告は、前記第２のコンポーネントキャリアの第２のリソースを使用して送信される、請求項７に記載の方法。
【請求項９】
前記第１のリソースを要求するために前記第１のセルに第１のスケジューリング要求を送信することと、
前記第２のリソースを要求するために前記第２のセルに第２のスケジューリング要求を送信することと、
をさらに備える、請求項８に記載の方法。
【請求項１０】
前記第１のスケジューリング要求は前記第１のコンポーネントキャリア上で送信され、前記第２のスケジューリング要求は前記第２のコンポーネントキャリア上で送信される、請求項９に記載の方法。
【請求項１１】
前記第１のセルに関連付けられた前記第１のバッファ報告係数と、前記第２のセルに関連付けられた前記第２のバッファ報告係数とを決定すること、
をさらに備える、請求項６に記載の方法。
【請求項１２】
前記第１のバッファ報告係数と前記第２のバッファ報告係数とは、前記第１のセルまたは前記第２のセルの一方または両方に関連付けられたローディング情報、チャネル品質、または測定サービスメトリックのうちの１つまたは複数に少なくとも部分的に基づいて前記ＵＥによって決定される、請求項１１に記載の方法。
【請求項１３】
論理チャネルグループの前記セットのうちの第１の論理チャネルグループのための前記第１のセルに関連付けられた前記第１のバッファ報告係数を決定することと、
論理チャネルグループの前記セットのうちの第２の論理チャネルグループのための前記第２のセルに関連付けられた前記第２のバッファ報告係数を決定することと、
をさらに備える、請求項６に記載の方法。
【請求項１４】
前記第１のコンポーネントキャリアのアップリンク許可の第１の部分において前記第１の論理チャネルグループに関連付けられたデータの第１のセットを送信することをさらに備え、ここで、前記アップリンク許可の前記第１の部分は、前記第１のバッファ報告係数に従って前記第１の論理チャネルグループに割り振られ、
前記アップリンク許可の第２の部分において前記第２の論理チャネルグループに関連付けられたデータの第２のセットを送信することと、ここで、前記アップリンク許可の前記第２の部分は、前記第２のバッファ報告係数に従って前記第２の論理チャネルグループに割り当てられる、
をさらに備える、請求項１３に記載の方法。
【請求項１５】
ワイヤレス通信ネットワークの第１のセルおよび第２のセルとの通信のための通信デバイスであって、
前記通信デバイスにおいて前記第１のセルに関連付けられた第１のコンポーネントキャリアを確立するための手段と、
前記通信デバイスにおいて、前記第１のコンポーネントキャリアを維持しながら、前記第２のセルに関連付けられた第２のコンポーネントキャリアを確立するための手段と、
前記通信デバイスからのアップリンク送信のための利用可能なデータを有する論理チャネルグループのセットを決定するための手段と、
前記第１のセルに、論理チャネルグループの前記セットからの第１の論理チャネルグループを関連付けるための手段と、
前記第１の論理チャネルグループに関連付けられた前記利用可能なデータの第１の量に少なくとも部分的に基づいて第１のバッファステータス値を決定するための手段と、
前記第２のセルに、論理チャネルグループの前記セットからの第２の論理チャネルグループを関連付けるための手段と、
前記第２の論理チャネルグループに関連付けられた前記利用可能なデータの第２の量に少なくとも部分的に基づいて第２のバッファステータス値を決定するための手段と、
前記第１のセルに第１のアップリンク報告を送信するための手段と、前記第１のアップリンク報告は前記第１のバッファステータス値に少なくとも部分的に基づき、
前記第２のセルに第２のアップリンク報告を送信するための手段と、前記第２のアップリンク報告は前記第２のバッファステータス値に少なくとも部分的に基づき、
を備え、
前記第１の量は、前記第１の論理チャネルグループのための前記第１のセルに関連付けられた第１のバッファ報告係数に基づき決定され、
前記第２の量は、前記第２の論理チャネルグループのための前記第２のセルに関連付けられた第２のバッファ報告係数に基づき決定される、
通信デバイス。
【請求項１６】
前記第１のアップリンク報告は前記第１のコンポーネントキャリア上で前記第１のセルに送信され、前記第２のアップリンク報告は前記第２のコンポーネントキャリア上で前記第２のセルに送信される、請求項１５に記載の通信デバイス。
【請求項１７】
前記第１のコンポーネントキャリアについてのアップリンク許可要求の送信のための第１のリソースを割り当てる第１の構成を受信するための手段と、
前記第２のコンポーネントキャリアについてのアップリンク許可要求の送信のための第２のリソースを割り当てる第２の構成を受信するための手段と、
をさらに備える、請求項１６に記載の通信デバイス。
【請求項１８】
前記第１のアップリンク報告は前記第１のバッファステータス値を含み、前記第２のアップリンク報告は前記第２のバッファステータス値を含む、請求項１５に記載の通信デバイス。
【請求項１９】
第１のバッファステータス報告状態が発生したことを検出するための手段、
をさらに備え、
前記第１のバッファステータス値を決定するための手段は、前記第１のバッファステータス報告状態の発生時における、論理チャネルグループの前記セットのための前記利用可能なデータの量と前記第１のバッファ報告係数とに基づいて前記第１のバッファステータス値を決定するための手段、を備え、
前記第１のアップリンク報告は前記第１のバッファステータス値を含む、請求項１５に記載の通信デバイス。
【請求項２０】
前記第１のセルに関連付けられた前記第１のバッファ報告係数と、前記第２のセルに関連付けられた前記第２のバッファ報告係数とを決定するための手段、
をさらに備える、請求項１９に記載の通信デバイス。
【請求項２１】
第１のセルおよび第２のセルとのユーザ機器（ＵＥ）による通信のためのコンピュータプログラムであって、
前記ＵＥにおいて前記第１のセルに関連付けられた第１のコンポーネントキャリアを確立するためのコードと、
前記ＵＥにおいて、前記第１のコンポーネントキャリアを維持しながら、前記第２のセルに関連付けられた第２のコンポーネントキャリアを確立するためのコードと、
前記ＵＥからのアップリンク送信のための利用可能なデータを有する論理チャネルグループのセットを決定するためのコードと、
前記第１のセルに論理チャネルグループの前記セットからの第１の論理チャネルグループを関連付けるためのコードと、
前記第１の論理チャネルグループに関連付けられた前記利用可能なデータの第１の量に少なくとも部分的に基づいて第１のバッファステータス値を決定するためのコードと、
前記第２のセルに論理チャネルグループの前記セットからの第２の論理チャネルグループを関連付けるためのコードと、
前記第２の論理チャネルグループに関連付けられた前記利用可能なデータの第２の量に少なくとも部分的に基づいて第２のバッファステータス値を決定するためのコードと、
前記第１のセルに第１のアップリンク報告を送信するためのコードと、前記第１のアップリンク報告は前記第１のバッファステータス値に少なくとも部分的に基づき、
前記第２のセルに第２のアップリンク報告を送信するためのコードと、前記第２のアップリンク報告は前記第２のバッファステータス値に少なくとも部分的に基づき、
を備え、
前記第１の量は、前記第１の論理チャネルグループのための前記第１のセルに関連付けられた第１のバッファ報告係数に基づき決定され、
前記第２の量は、前記第２の論理チャネルグループのための前記第２のセルに関連付けられた第２のバッファ報告係数に基づき決定される、
コンピュータプログラム。
【請求項２２】
前記第１のアップリンク報告は前記第１のコンポーネントキャリア上で前記第１のセルに送信され、前記第２のアップリンク報告は前記第２のコンポーネントキャリア上で前記第２のセルに送信される、請求項２１に記載のコンピュータプログラム。
【請求項２３】
前記第１のコンポーネントキャリアについてのアップリンク許可要求の送信のための第１のリソースを割り当てる第１の構成を受信するためのコードと、
前記第２のコンポーネントキャリアについてのアップリンク許可要求の送信のための第２のリソースを割り当てる第２の構成を受信するためのコードと、
をさらに備える、請求項２２に記載のコンピュータプログラム。
【請求項２４】
前記第１のアップリンク報告は前記第１のバッファステータス値を含み、前記第２のアップリンク報告は前記第２のバッファステータス値を含む、請求項２１に記載のコンピュータプログラム。
【請求項２５】
第１のバッファステータス報告状態が発生したことを検出するためのコード、
をさらに備え、
前記第１のバッファステータス値を決定するためのコードは、前記第１のバッファステータス報告状態の発生時における、論理チャネルグループの前記セットのための前記利用可能なデータの量と前記第１のバッファ報告係数とに基づいて前記第１のバッファステータス値を決定するためのコードと、を備え、
前記第１のアップリンク報告は前記第１のバッファステータス値を含む、請求項２１に記載のコンピュータプログラム。
【請求項２６】
前記第１のセルに関連付けられた前記第１のバッファ報告係数と、前記第２のセルに関連付けられた前記第２のバッファ報告係数とを決定するためのコード
をさらに備える、請求項２５に記載のコンピュータプログラム。
【請求項２７】
第１のセルおよび第２のセルと通信しているユーザ機器（ＵＥ）において、前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
前記第１のセルに、論理チャネルグループの前記セットからの第１の論理チャネルグループを関連付けることと、
前記第１の論理チャネルグループに関連付けられた前記利用可能なデータの第１の量に少なくとも部分的に基づいて第１のバッファステータス値を決定することと、
前記第２のセルに、論理チャネルグループの前記セットからの第２の論理チャネルグループを関連付けることと、
前記第２の論理チャネルグループに関連付けられた前記利用可能なデータの第２の量に少なくとも部分的に基づいて第２のバッファステータス値を決定することと、
前記第１のセルに第１のアップリンク報告を送信することと、前記第１のアップリンク報告は前記第１のバッファステータス値に少なくとも部分的に基づき、
前記第２のセルに第２のアップリンク報告を送信することと、前記第２のアップリンク報告は前記第２のバッファステータス値に少なくとも部分的に基づき、
を行うように構成された少なくとも１つのプロセッサを備え、
前記第１の量は、前記第１の論理チャネルグループのための前記第１のセルに関連付けられた第１のバッファ報告係数に基づき決定され、
前記第２の量は、前記第２の論理チャネルグループのための前記第２のセルに関連付けられた第２のバッファ報告係数に基づき決定される、
通信デバイス。
【請求項２８】
前記少なくとも１つのプロセッサは、前記第１のコンポーネントキャリア上で前記第１のセルに前記第１のアップリンク報告を送信することと、前記第２のコンポーネントキャリア上で前記第２のセルに前記第２のアップリンク報告を送信することとを行うように構成された、請求項２７に記載の通信デバイス。
【請求項２９】
前記少なくとも１つのプロセッサは、
前記第１のコンポーネントキャリアについてのアップリンク許可要求の送信のための第１のリソースを割り当てる第１の構成を受信することと、
前記第２のコンポーネントキャリアについてのアップリンク許可要求の送信のための第２のリソースを割り当てる第２の構成を受信することと、
を行うようにさらに構成された、請求項２８に記載の通信デバイス。
【請求項３０】
前記第１のアップリンク報告は前記第１のバッファステータス値を含み、前記第２のアップリンク報告は前記第２のバッファステータス値を含む、請求項２７に記載の通信デバイス。
【請求項３１】
前記少なくとも１つのプロセッサは、
第１のバッファステータス報告状態が発生したことを検出すること、
を行うようにさらに構成され、
前記第１のバッファステータス値を決定することは、前記第１のバッファステータス報告状態の発生時における、論理チャネルグループの前記セットのための前記利用可能なデータの量と前記第１のバッファ報告係数とに基づいて前記第１のバッファステータス値を決定すること、を備え、
前記第１のアップリンク報告は前記第１のバッファステータス値を含む、
請求項２７に記載の通信デバイス。
【請求項３２】
前記少なくとも１つのプロセッサは、
前記第１のセルに関連付けられた前記第１のバッファ報告係数と、前記第２のセルに関連付けられた前記第２のバッファ報告係数とを決定するようにさらに構成された、請求項３１に記載の通信デバイス。
【発明の詳細な説明】
【優先権の主張】
【０００１】
関連出願の相互参照
本出願は、その全体が参照により本明細書に明確に組み込まれる、２０１２年１１月７日に出願された「BUFFER STATUS REPORTING AND LOGICAL CHANNEL PRIORITIZATION IN MULTIFLOW OPERATION」と題する米国仮出願第６１／７２３，６９８号、および２０１３年６月１１日に出願された「BUFFER STATUS REPORTING AND LOGICAL CHANNEL PRIORITIZATION IN MULTIFLOW OPERATION」と題する米国特許出願第１３／９１５，５８３号の利益を主張する。
【技術分野】
【０００２】
本開示の態様は、一般にワイヤレス通信システムに関し、より詳細には、ワイヤレスデバイスと複数のネットワークノードとの間のマルチフロー通信（multiflow communication）に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのようなネットワークは、通常、多元接続ネットワークであり、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ：user equipment）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]スマートフォンなどのいくつかのＵＥは、異なるサービス品質（ＱｏＳ）要件を有する多くのタイプの通信をサポートする。たとえば、音声通信などのいくつかのタイプの通信はレイテンシに関してより厳しい要件を有する一方、ウェブブラウジングおよびＦＴＰなどの他のタイプの通信は、レイテンシに関してより低い要件を有するが、はるかに低いパケット損失レートを要求する。多くのアクティブＵＥからの異なるタイプの通信をサポートすることは、現代の通信システムにおける課題を提示する。
【発明の概要】
【０００６】
[0006]マルチフロー動作では、ユーザ機器（ＵＥ）が、同時に複数のｅＮＢとの通信のための複数のアクティブコンポーネントキャリアを有し得る。いくつかの事例では、ｅＮＢは、ｅＮＢがフレームベースによる１つのフレーム上のＵＥから複数のｅＮＢへのアップリンクデータフローを動的に制御することを可能にするファイバーまたは他の大容量接続を有し得る。他の事例では、ｅＮＢは、半静的情報（たとえば、コンテキスト情報、無線リソース制御など）を交換することが可能であり得るが、データフローを動的に制御することが可能でないことがある。
【０００７】
[0007]説明する実施形態は、マルチフロー動作におけるアップリンクコンポーネントキャリアのためのアップリンクフロー制御を行うことを対象とする。いくつかの実施形態は、マルチフロー動作におけるアップリンク報告を対象とする。これらの実施形態は、マルチフロー動作のためのスケジューリング要求（ＳＲ：Scheduling Request）およびバッファステータス報告（ＢＳＲ：Buffer Status Reporting）を管理するための技法を含む。いくつかの実施形態は、マルチフロー動作における論理チャネル優先度付けを対象とする。これらの実施形態は、マルチフロー動作のためのアップリンク許可へのパケットペイロードのマッピングを管理するための技法を含む。
【０００８】
[0008]いくつかの実施形態は、ＵＥがアップリンク報告のためにノードにベアラまたは論理チャネルグループ（ＬＣＧ：logical channel group）を関連付ける、アップリンク報告のためのベアラレベルスプリッティングを利用する。ＵＥは、ノードに関連付けられたＬＣＧバッファ内のアップリンク送信のために利用可能なデータに基づいて、ノードごとに独立してアップリンク報告を実行し得る。
【０００９】
[0009]いくつかの実施形態は、ＵＥがすべてのＬＣＧのためのバッファをアップリンク報告のための共通プールにグループ化する、パケットレベルスプリッティングを利用する。いくつかのパケットレベルスプリッティング実施形態では、ＵＥは、バッファステータスを報告するための共通バッファプール内の送信に利用可能なデータの総量に基づいてアップリンク報告を実行し得る。いくつかのパケットレベルスプリッティング実施形態では、スケーリング係数がノードごとに決定され得、アップリンク報告は、それぞれの係数によってスケーリングされた共通バッファプール内の送信のために利用可能なデータの総量に基づき得る。
【００１０】
[0010]開示する実施形態の一態様では、第１のセルおよび第２のセルと通信しているユーザ機器（ＵＥ）によって実行されるワイヤレス通信の方法は、ＵＥにおいて第１のセルに関連付けられた第１のコンポーネントキャリアを確立することと、ＵＥにおいて、第１のコンポーネントキャリアを維持しながら、第２のセルに関連付けられた第２のコンポーネントキャリアを確立することと、ＵＥからのアップリンク送信のために利用可能なデータを有する論理チャネルグループのセットを決定することと、第１のセルに第１のアップリンク報告を送信することと、第１のアップリンク報告は利用可能なデータに少なくとも部分的に基づき、第２のセルに第２のアップリンク報告を送信することと、第２のアップリンク報告は利用可能なデータに少なくとも部分的に基づく、を含む。第１のアップリンク報告情報は第１のコンポーネントキャリア上で第１のセルに送信され得、第２のアップリンク報告情報は第２のコンポーネントキャリア上で第２のセルに送信され得る。本方法は、第１のコンポーネントキャリアについてのアップリンク許可要求の送信のための第１のリソースを割り当てる第１の構成を受信することと、第２のコンポーネントキャリアについてのアップリンク許可要求の送信のための第２のリソースを割り当てる第２の構成を受信することとを含み得る。
【００１１】
[0011]アップリンク報告のためにベアラレベルスプリッティングを利用するいくつかの実施形態において、本方法は、第１のセルに論理チャネルグループのセットのうちの第１の論理チャネルグループを関連付けることと、第１の論理チャネルグループに関連付けられた利用可能なデータの第１の量に少なくとも部分的に基づいて第１のバッファステータス値を決定することと、第２のセルに論理チャネルグループのセットのうちの第２の論理チャネルグループを関連付けることと、第２の論理チャネルグループに関連付けられた利用可能なデータの第２の量に少なくとも部分的に基づいて第２のバッファステータス値を決定することと、を含む。本方法は、第１のアップリンク報告情報の送信において第１のセルに第１のバッファステータス値を報告することと、第２のアップリンク報告情報の送信において第２のセルに第２のバッファステータス値を報告することとを含み得る。第１の論理チャネルグループと第２の論理チャネルグループとは、ＵＥの無線リンク制御サブレイヤにおいて同じ論理チャネル識別子に関連付けられ得る。
【００１２】
[0012]いくつかの実施形態において、本方法は、アップリンク報告のためにパケットレベルスプリッティングを利用する。これらの実施形態では、本方法は、第１のセルについてバッファステータス報告状態が発生したことを検出することと、第１のセルについてのバッファステータス報告状態の発生時に論理チャネルグループのセットのための利用可能なデータの総量に少なくとも部分的に基づいて第１のバッファステータス値を決定することと、第１のアップリンク報告情報の送信において第１のセルに第１のバッファステータス値を報告することとを含む。
【００１３】
[0013]いくつかのパケットレベルスプリッティング実施形態において、本方法は、第２のセルに関連付けられた後続のバッファステータス報告機会を検出することと、第１のセルについてのバッファステータス報告状態の発生の時間に論理チャネルグループのセットのための利用可能なデータの総量に少なくとも部分的に基づいて第２のバッファステータス値を決定することと、第２のアップリンク報告情報の送信において第２のセルに第２のバッファステータス値を報告することとを含む。第１のセルへの第１のバッファステータス値の報告は、第１のコンポーネントキャリアの第１のリソースを使用して実行され得、第２のセルへの第２のバッファステータス値の報告は、第２のコンポーネントキャリアの第２のリソースを使用して実行され得る。第１のリソースと第２のリソースは対応するリソースであり得るか、または第１のリソースと第２のリソースは直交リソースであり得る。本方法は、第１のリソースを要求するために第１のセルに第１のスケジューリング要求をシグナリングすることと、第２のリソースを要求するために第２のセルに第２のスケジューリング要求をシグナリングすることとを含み得る。第１のスケジューリング要求のシグナリングは、第１のコンポーネントキャリア上での第１のスケジューリング要求の送信を含み得、第２のスケジューリング要求のシグナリングは、第２のコンポーネントキャリア上での第２のスケジューリング要求の送信を含み得る。
【００１４】
[0014]いくつかのパケットレベルスプリッティング実施形態において、本方法は、第２のセルに関連付けられた後続のバッファステータス報告機会を検出することと、後続のバッファステータス報告機会の発生時に論理チャネルグループのセットのための利用可能なデータの後続の総量に少なくとも部分的に基づいて第２のバッファステータス値を決定することと、第２のアップリンク報告情報の送信において第２のセルに第２のバッファステータス値を報告することとを含む。
【００１５】
[0015]いくつかのパケットレベルスプリッティング実施形態において、本方法は、ＵＥにおいて第１のセルに関連付けられた第１のコンポーネントキャリアを確立することと、ＵＥにおいて、第１のコンポーネントキャリアを維持しながら、第２のセルに関連付けられた第２のコンポーネントキャリアを確立することと、ＵＥからのアップリンク送信のための利用可能なデータを有する論理チャネルグループのセットを決定することと、第１のバッファステータス報告状態が発生したことを検出することと、第１のバッファステータス報告状態の発生時に論理チャネルグループのセットのための利用可能なデータの総量に少なくとも部分的に基づいて第１のバッファステータス値を決定することと、利用可能なデータの総量をしきい値と比較することと、比較に基づいて第１のセル、第２のセル、または両方に第１のバッファステータス値を報告することとを含む。
【００１６】
[0016]いくつかのパケットレベルスプリッティング実施形態において、本方法は、第１のセルに関連付けられた第１のバッファ報告係数と、第２のセルに関連付けられた第２のバッファ報告係数とを決定することを含む。第１のバッファステータス値は、論理チャネルグループのセットのための利用可能なデータの総量と、第１のバッファ報告係数とに少なくとも部分的に基づいて決定され得、第２のバッファステータス値は、論理チャネルグループのセットのための利用可能なデータの総量と、第２のバッファ報告係数とに少なくとも部分的に基づいて決定され得る。第１のバッファ報告係数と第２のバッファ報告係数とは、第１のセルまたは第２のセルの一方または両方に関連付けられたローディング情報、チャネル品質、および／または測定サービスメトリックのうちの１つまたは複数に少なくとも部分的に基づいてＵＥによって決定され得る。
【００１７】
[0017]いくつかのパケットレベルスプリッティング実施形態では、各セルのスケーリング係数は論理チャネルグループごとに決定され得る。これらの実施形態のための、本方法は、論理チャネルグループのセットのうちの第１の論理チャネルグループのための第１のセルに関連付けられた第１のバッファ報告係数を決定することと、論理チャネルグループのセットのうちの第２の論理チャネルグループのための第１のセルに関連付けられた第２のバッファ報告係数を決定することとを含む。本方法は、第１のコンポーネントキャリアのアップリンク許可の第１の部分において第１の論理チャネルグループに関連付けられたデータの第１のセットを送信すること、ここで、アップリンク許可の第１の部分は、第１のバッファ報告係数に従って第１の論理チャネルグループに割り振られ、および／またはアップリンク許可の第２の部分において第２の論理チャネルグループに関連付けられたデータの第２のセットを送信すること、ここで、アップリンク許可の第２の部分は、第２のバッファ報告係数に従って第２の論理チャネルグループに割り振られる、を含み得る。
【００１８】
[0018]いくつかの実施形態は、ワイヤレス通信ネットワークの第１のセルによって実行されるワイヤレス通信のための方法を対象とする。本方法は、ＵＥとの通信のための第１のコンポーネントキャリアを確立することと、第１のセルと第２のコンポーネントキャリア上でＵＥと通信している第２のセルとのリソースを割り振るためのＵＥに関連付けられたアップリンクサービス比を決定することと、第１のセルへの送信のためのＵＥにおいて利用可能なアップリンクデータの量を示すアップリンク報告情報を受信することと、アップリンク報告情報に少なくとも部分的に基づいてＵＥのための第１のコンポーネントキャリアのアップリンクリソースをスケジュールすることと、を含み得る。アップリンクサービス比は、第１のセルまたは第２のセルの一方または両方に関連付けられたローディング情報に少なくとも部分的に基づいて決定され得る。本方法は、アップリンクサービス比に基づいて第１のコンポーネントキャリアのためのスケーリング係数を決定することと、ＵＥにスケーリング係数を送信することとを含み得る。
【００１９】
[0019]他の開示する実施形態は、開示する方法を実行するように構成されたモジュールを含む装置と、開示する方法を実行するための１つまたは複数の手段を含む装置と、開示する方法を実行するためのプログラムコードを含むコンピュータプログラム製品とを含む。
【００２０】
[0020]説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２１】
[0021]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２２】
【図１】様々な実施形態によるワイヤレス通信システムのブロック図。
【図２】様々な実施形態によるネットワークアーキテクチャを示す図。
【図３】様々な実施形態によるダウンリンクフレーム構造の一例を示す図。
【図４】様々な実施形態によるアップリンクフレーム構造の一例を示す図。
【図５】様々な実施形態によるユーザプレーンおよび制御プレーンのための無線プロトコルアーキテクチャの一例を示す図。
【図６】様々な実施形態による、ベアラレベルスプリッティングを使用するマルチフローアップリンク通信のためのワイヤレス通信システムを示す図。
【図７】様々な実施形態による、マルチフロー動作におけるベアラレベルスプリッティングのための方法のブロック図を示す図。
【図８】様々な実施形態による、パケットレベルスプリッティングを使用するマルチフローアップリンク通信のためのワイヤレス通信システムを示す図。
【図９Ａ】様々な実施形態による、パケットレベルスプリッティングを使用するアップリンク報告のための方法を示す図。
【図９Ｂ】様々な実施形態による、パケットレベルスプリッティングのためのスケーリング係数を使用するアップリンク報告のための方法を示す図。
【図１０Ａ】様々な実施形態による、バッファプール中のデータの実際の量に基づいてバッファステータスを報告するための方法を示す図。
【図１０Ｂ】様々な実施形態による、第１のＢＳＲトリガの時間におけるバッファプール中のデータの量に基づいて各ノードにバッファステータスを報告するための方法を示す図。
【図１１】様々な実施形態による、ＵＥと複数のノードとの間のマルチフロー動作の一例を示す流れ図。
【図１２Ａ】様々な実施形態による、マルチフロー動作におけるアップリンク報告のためのデバイスを示すブロック図。
【図１２Ｂ】様々な実施形態による、ベアラレベルスプリッティングを使用するマルチフロー動作におけるアップリンク報告のためのデバイスを示すブロック図。
【図１２Ｃ】様々な実施形態による、パケットレベルスプリッティングを使用するマルチフロー動作におけるアップリンク報告のためのデバイスを示すブロック図。
【図１３】様々な実施形態による、マルチフロー動作におけるアップリンクリソースを管理するためのデバイスを示すブロック図。
【図１４】様々な実施形態による、マルチフロー動作におけるアップリンク報告のために構成されたモバイルデバイスのブロック図。
【図１５】様々な実施形態による、マルチフロー動作におけるアップリンク報告のために構成され得る通信システムのブロック図。
【図１６】様々な実施形態による、マルチフロー動作におけるアップリンク報告のためのシステムのブロック図。
【発明を実施するための形態】
【００２３】
[0042]マルチフロー動作におけるアップリンク報告および論理チャネル優先度付けのための方法、システム、およびデバイスについて説明する。いくつかの実施形態は、マルチフロー動作のためのスケジューリング要求（ＳＲ）およびバッファステータス報告（ＢＳＲ）を管理する。いくつかの実施形態は、マルチフロー動作のためのアップリンク許可へのパケットペイロードのマッピングを管理する。
【００２４】
[0043]いくつかの実施形態は、ＵＥがアップリンク報告のためにノードにベアラまたは論理チャネルグループ（ＬＣＧ）を関連付ける、アップリンク報告のためのベアラレベルスプリッティングを利用する。ＵＥは、ノードに関連付けられたＬＣＧバッファ中でのアップリンク送信のための利用可能なデータに基づいて、ノードごとに独立してアップリンク報告を実行し得る。
【００２５】
[0044]いくつかの実施形態は、ＵＥが、すべてのＬＣＧのためのバッファをアップリンク報告のために共通プールにグループ化する、パケットレベルスプリッティングを利用する。いくつかのパケットレベルスプリッティング実施形態では、ＵＥは、バッファステータスを報告するための共通バッファプール内の送信のために利用可能なデータの総量に基づいてアップリンク報告を実行し得る。いくつかのパケットレベルスプリッティング実施形態では、スケーリング係数がノードごとに決定され得、アップリンク報告は、それぞれの係数によってスケーリングされた共通バッファプール内の送信のために利用可能なデータの総量に基づき得る。
【００２６】
[0045]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はユニバーサルモバイルテレコミュニケーションシステム（ＵＭＴＳ：Universal Mobile Telecommunication System）の一部である。３ＧＰＰロングタームエボリューション（ＬＴＥ（登録商標）：Long Term Evolution）およびＬＴＥアドバンスト（ＬＴＥ−Ａ：LTE-Advanced）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２：3rd Generation Partnership Project 2）と呼ばれる団体からの文書に記載されている。本明細書で説明する技法は、上記のワイヤレスネットワークおよび無線アクセス技術、ならびに他のワイヤレスネットワークおよび無線アクセス技術のために使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００２７】
[0046]したがって、以下の説明は、例を与えるものであり、特許請求の範囲において記載される範囲、適用性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２８】
[0047]図１に、通信のためのワイヤレスネットワーク１００を示し、これはＬＴＥ−Ａネットワークであり得る。ワイヤレスネットワーク１００は、いくつかの発展型ノードＢ（ｅＮＢ）１０５と他のネットワークエンティティとを含む。ｅＮＢは、ＵＥと通信する局であり得、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。各ｅＮＢ１０５は、特定の地理的エリアに通信カバレージを与え得る。３ＧＰＰでは、「セル」という用語は、この用語が使用されるコンテキストに応じて、ｅＮＢのこの特定の地理的カバレージエリアおよび／またはこのカバレージエリアをサービスするｅＮＢサブシステムを指すことがある。
【００２９】
[0048]ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーし得、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示された例では、ｅＮＢ１０５−ａ、１０５−ｂ、および１０５−ｃは、それぞれマクロセル１１０−ａ、１１０−ｂ、および１１０−ｃのためのマクロｅＮＢである。ｅＮＢ１０５−ｘは、ピコセル１１０−ｘのためのピコｅＮＢである。また、ｅＮＢ１０５−ｙおよび１０５−ｚは、それぞれフェムトセル１１０−ｙおよび１１０−ｚのためのフェムトｅＮＢである。ｅＮＢは、１つまたは複数の（たとえば、２つ、３つ、４つなどの）セルをサポートし得る。
【００３０】
[0049]ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００３１】
[0050]ネットワークコントローラ１３０は、ｅＮＢのセットに結合し、これらのｅＮＢの協調および制御を行い得る。ネットワークコントローラ１３０は、バックホール１３２を介してｅＮＢ１０５と通信し得る。ｅＮＢ１０５はまた、たとえば、ワイヤラインバックホール１３４またはワイヤレスバックホール１３６を介して直接または間接的に互いに通信し得る。
【００３２】
[0051]ＵＥ１１５はワイヤレスネットワーク１００全体にわたって分散され、各ＵＥは固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、スマートフォン、セッション開始プロトコル（ＳＩＰ）電話、衛星ラジオ、グローバル測位システム、マルチメディアデバイス、ビデオデバイス、デジタルオーディオプレーヤ（たとえば、ＭＰ３プレーヤ）、カメラ、ゲーム機、または任意の他の同様の機能デバイスであり得る。ＵＥは、マクロｅＮＢ、ピコｅＮＢ、フェムトｅＮＢ、リレーなどと通信することが可能であり得る。
【００３３】
[0052]システム１００は、モバイルデバイス１１５と基地局１０５との間の送信１２５を示す。送信１２５は、モバイルデバイス１１５から基地局１０５へのアップリンク（ＵＬ）送信および／または逆方向リンク送信、ならびに／あるいは基地局１０５からモバイルデバイス１１５へのダウンリンク（ＤＬ）送信および／または順方向リンク送信を含み得る。ＬＴＥ／−Ａは、ダウンリンク上では直交周波数分割多重（ＯＦＤＭ）を利用し、アップリンク上ではシングルキャリア周波数分割多元接続（ＳＣ−ＦＤＭＡ）を利用する。ＯＦＤＭおよびＳＣ−ＦＤＭＡは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭＡでは時間領域で送られる。隣接するサブキャリア間の間隔は固定であり得、サブキャリアの総数（Ｋ）はシステム帯域幅に依存し得る。たとえば、Ｋは、１．２５、２．５、５、１０または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０または２０ＭＨｚの対応するシステム帯域幅に対してそれぞれ１つ、２つ、４つ、８つまたは１６個のサブバンドがあり得る。
【００３４】
[0053]図２は、様々な実施形態によるＬＴＥネットワークアーキテクチャ２００を示す図である。ＬＴＥネットワークアーキテクチャ２００は発展型パケットシステム（ＥＰＳ：Evolved Packet System）２００と呼ばれることがある。ＥＰＳ２００は、１つまたは複数のユーザ機器（ＵＥ）１１５と、発展型ＵＭＴＳ地上波無線アクセスネットワーク（Ｅ−ＵＴＲＡＮ：Evolved UMTS Terrestrial Radio Access Network）２０４と、発展型パケットコア（ＥＰＣ：Evolved Packet Core）２１０と、ホーム加入者サーバ（ＨＳＳ：Home Subscriber Server）２２０と、事業者のＩＰサービス２２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００３５】
[0054]Ｅ−ＵＴＲＡＮは、発展型ノードＢ（ｅＮＢ）１０５と他のｅＮＢ２０５とを含む。ｅＮＢ１０５は、ＵＥ１１５に対してユーザプレーンプロトコル終端と制御プレーンプロトコル終端とを与える。ｅＮＢ１０５は、Ｘ２インターフェース（たとえば、バックホール）を介して他のｅＮＢ２０５に接続され得る。ｅＮＢ１０５は、ＵＥ１１５にＥＰＣ２１０へのアクセスポイントを与える。
【００３６】
[0055]ｅＮＢ１０６はＳ１インターフェースによってＥＰＣ２１０に接続される。ＥＰＣ２１０は、モビリティ管理エンティティ（ＭＭＥ：Mobility Management Entity）２１２と、他のＭＭＥ２１４と、サービングゲートウェイ２１６と、パケットデータネットワーク（ＰＤＮ）ゲートウェイ２１８とを含む。ＭＭＥ２１２は、ＵＥ１０２とＥＰＣ１１０との間のシグナリングを処理する制御ノードである。概して、ＭＭＥ２１２はベアラおよび接続管理を行う。すべてのユーザＩＰパケットはサービングゲートウェイ２１６を通して転送され、サービングゲートウェイ２１６自体はＰＤＮゲートウェイ２１８に接続される。ＰＤＮゲートウェイ２１８は、ＵＥのＩＰアドレス割振りならびに他の機能を与える。ＰＤＮゲートウェイ２１８は事業者のＩＰサービス２２２に接続される。事業者のＩＰサービス２２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００３７】
[0056]図３は、ＬＴＥにおけるダウンリンク（ＤＬ）フレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。リソース要素のいくつかはデータを含み得る。図３に示されているように、ＤＬ−ＲＳは、（共通ＲＳと呼ばれることがある）セル固有ＲＳ（ＣＲＳ：Cell-specific RS）３０２と、（アンテナポート９または１０の構成で示されている）ＵＥ固有ＲＳ（ＵＥ−ＲＳ：UE-specific RS）３０４とを含む。ＵＥ−ＲＳ３０４は、対応する物理ＤＬ制御チャネル（ＰＤＣＣＨ：physical DL control channel）がマッピングされるソースブロック上で送信されない。したがって、ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００３８】
[0057]図３は、ＬＴＥにおけるダウンリンク（ＤＬ）フレーム構造の一例を示す図３００である。フレーム（たとえば、１０ｍｓなど）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ）を含む。リソース要素のいくつかはデータを含み得る。図３に示されているように、ＤＬ−ＲＳは、（共通ＲＳと呼ばれることがある）セル固有ＲＳ（ＣＲＳ）３０２と、（アンテナポート９または１０の構成で示されている）ＵＥ固有ＲＳ（ＵＥ−ＲＳ）３０４とを含む。ＵＥ−ＲＳ３０４は、対応する物理ＤＬ制御チャネル（ＰＤＣＣＨ）がマッピングされるリソースブロック上で送信されない。したがって、ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００３９】
[0058]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続するサブキャリアのすべてを割り当てられることを可能にし得る、連続するサブキャリアを含むデータセクションをもたらす。
【００４０】
[0059]ＵＥには、ｅＮＢに制御情報を送信するために制御セクション中のリソースブロック４１０−ａ、４１０−ｂが割り当てられ得る。ＵＥには、ｅＮＢにデータを送信するためにデータセクション中のリソースブロック４２０−ａ、４２０−ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００４１】
[0060]初期システムアクセスを実行し、物理ランダムアクセスチャネル（ＰＲＡＣＨ： physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００４２】
[0061]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という３つのレイヤとともに示されている。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００４３】
[0062]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ２１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００４４】
[0063]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＲＬＣサブレイヤ５１２は、データを論理チャネルとしてＭＡＣサブレイヤ５１０に受け渡す。
【００４５】
[0064]ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまた、ＨＡＲＱ動作を担当する。ＭＡＣレイヤは、論理チャネルデータをフォーマットし、トランスポートチャネルとして物理レイヤ５０６に送る。
【００４６】
[0065]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４７】
[0066]マルチフロー動作では、ＵＥ１１５は、同時に複数のセル（たとえば、ｅＮＢ１０５など）への複数のコンポーネントキャリアを使用するアップリンク送信をサポートし得る。ＵＥ１１５は各セルに独立して通信することができるが、ＵＥ１１５は、単一の１次セル（ＰＣｅｌｌ：primary cell）と、１つまたは複数の２次セル（ＳＣｅｌｌ：secondary cell）とを有し得る。説明する実施形態は、マルチフロー動作におけるアップリンク報告および論理チャネル優先度付けを対象とする。いくつかの実施形態は、マルチフロー動作のためのスケジューリング要求（ＳＲ）およびバッファステータス報告（ＢＳＲ）を管理する。いくつかの実施形態は、マルチフロー動作のためのアップリンク許可へのパケットペイロードのマッピングを管理する。
【００４８】
[0067]いくつかの実施形態では、ＵＥは、送信時間間隔（ＴＴＩ：transmission time interval）中に（たとえば、周期的にまたはトリガされると）１つのＢＳＲを送信し得る。ＵＥは、どのセルが、またはどのコンポーネントキャリア上でその１つのＢＳＲを送信すべきかを決定し得る。他の実施形態では、ＵＥは、複数のセルにそれぞれ複数のＢＳＲを送信し得る。それらの複数のＢＳＲは同じＴＴＩ中にまたは異なるＴＴＩ中に送信され得る。
【００４９】
[0068]いくつかの実施形態は、ＵＥがアップリンク報告のためにノードにベアラまたは論理チャネルグループ（ＬＣＧ）を関連付ける、アップリンク報告のためのベアラレベルスプリッティングを利用する。ＵＥは、ノードに関連付けられたＬＣＧバッファ内のアップリンク送信のための利用可能なデータに基づいて、ノードごとに独立してアップリンク報告を実行し得る。
【００５０】
[0069]いくつかの実施形態は、ＵＥがアップリンク報告のためにすべてのＬＣＧのためのバッファを共通プールにグループ化する、パケットレベルスプリッティングを利用する。いくつかのパケットレベルスプリッティング実施形態では、ＵＥは、バッファステータスを報告するための共通バッファプール内の送信のために利用可能なデータの総量に基づいてアップリンク報告を実行し得る。いくつかのパケットレベルスプリッティング実施形態では、スケーリング係数がノードごとに決定され得、アップリンク報告は、それぞれの係数によってスケーリングされた共通バッファプール内の送信のために利用可能なデータの総量に基づき得る。
【００５１】
[0070]図６に、様々な実施形態による、ベアラレベルスプリッティングを使用するマルチフローアップリンク通信のためのワイヤレス通信システム６００を示す。ワイヤレス通信システム６００において、ＵＥ１１５−ａは、複数のコンポーネントキャリア上で（たとえば、単一の送信時間間隔（ＴＴＩ）またはフレームなどの間に）実質的に同時に複数のｅＮＢと（トランシーバ６７０などを介して）通信するように構成される。図６において、ＵＥ１１５−ａは、アップリンクコンポーネントキャリアＣＣ［Ａ］６２５−ａ上でｅＮＢ［Ａ］と通信し、アップリンクコンポーネントキャリアＣＣ［Ｂ］６２５−ｂ上でｅＮＢ［Ｂ］と通信する。図６のアーキテクチャによれば、ｅＮＢ［Ａ］６０５−ａはＵＥ１１５−ａのためのＰＣｅｌｌであり得、ｅＮＢ［Ｂ］６０５−ｂはＳＣｅｌｌであり得る。ＵＥ１１５−ａはまた、ｅＮＢ［Ａ］６０５−ａ、ｅＮＢ［Ｂ］６０５−ｂ、および／または他のｅＮＢから複数のダウンリンクコンポーネントキャリアを受信するように構成され得る。ｅＮＢ［Ａ］６０５−ａは、ワイヤラインバックホールリンクまたはワイヤレスバックホールリンクであり得るバックホールリンク６１２上でｅＮＢ［Ｂ］６０５−ｂと通信し得る。図６は２つのコンポーネントキャリアを使用して２つのｅＮＢと通信しているＵＥ１１５−ａを示しているが、ベアラレベルスプリッティングのための説明する実施形態は、ＵＥが任意の数のｅＮＢを用いたマルチフロー動作を使用しているときに使用され得る。
【００５２】
[0071]ＵＥ１１５−ａは、各ベアラがサービス品質（ＱｏＳ）要件のセットに関連付けられた、複数のベアラ（たとえば、ベアラ６３２、６３４、６３６）を有し得る。ベアラは、ＵＥ１１５−ａのセッション（たとえば、アプリケーション、サービスなど）をサポートし、複数のセッションへの複数のパケットフローをサポートし得る。同じ必要をもつベアラは論理チャネルグループ（ＬＣＧ）にグループ化され得る。すなわち、論理チャネルグループは１つまたは複数の論理チャネルを含み得る。各論理チャネルグループは論理チャネルＩＤ（ＬＣＩＤ：logical channel ID）に関連付けられ得る。セッションがデータ（たとえば、ＩＰパケット）を生成し、データがベアラＳＤＵ（たとえば、パケットデータコンバージェンスプロトコル（ＰＤＣＰ）ＳＤＵなど）にフォーマットされたとき、ベアラＳＤＵは、ＬＣＧに関連付けられたバッファに入力される。
【００５３】
[0072]論理チャネルＩＤは、共通マッピングまたは排他的マッピングを使用してＬＣＧに割り当てられ得る。図６は、論理チャネルＩＤがｅＮＢにわたって複製されない排他的マッピングを示している。いくつかのベアラレベルスプリッティング実施形態では、異なるｅＮＢに割り当てられたＬＣＧが論理チャネルＩＤを共有し得る。これらの実施形態では、ＭＡＣレイヤは、同じ論理チャネルＩＤをもつＲＬＣおよび／またはＰＤＣＰサブレイヤにおけるＬＣＧからのアップリンクデータおよびダウンリンクデータを、物理レイヤ６６０におけるコンポーネントキャリアリソースおよび／または適切なｅＮＢにおよびそれからダイレクトするために、論理チャネルグループと物理レイヤ６６０との間の論理チャネルＩＤマッピングを管理する。
【００５４】
[0073]ＵＥがＬＣＧバッファ中に送るべきアップリンクデータを有するとき、ＵＥは、ｅＮＢによって（たとえば、ＲＲＣなどを介して）構成されたアップリンク制御チャネルのリソース中でスケジューリング要求（ＳＲ）をシグナリングすることによって、アップリンク許可についてシグナリングし得る。たとえば、ｅＮＢ［Ａ］６０５−ａは、ＵＥ１１５−ａがスケジューリング要求を送るためのＣＣ［Ａ］６２５−ａ上のＰＵＣＣＨリソースを構成し得る。ＵＥがアップリンク許可を有すると、ＵＥのアップリンクバッファ中の保留状態のデータの量に関する情報を与えるために、ＵＥからｅＮＢにバッファステータス報告（ＢＳＲ）が送られる。ＢＳＲは、報告（周期的ＢＳＲ）間の経過時間期間に基づいて、アップリンク許可中のパディング（パディングＢＳＲ）、および／または他のファクタに基づいてトリガされ得る。ＢＳＲは、バッファサイズ値の対数または片対数テーブルへのインデックスであり得る、バッファステータス値を含み得る。
【００５５】
[0074]マルチフロー動作のためにベアラレベルスプリッティングを使用する実施形態では、ＵＥは、ＵＥがそれについて確立されたコンポーネントキャリアを有するｅＮＢに論理チャネルグループを関連付ける。ＵＥは、次いで、ｅＮＢごとに独立して各ｅＮＢのためのアップリンク報告メトリックを生成する。アップリンク報告メトリックは、各ｅＮＢに関連付けられたコンポーネントキャリア上で各ｅＮＢに送信されるか、または、ＵＥからのアップリンクデータを受信するように構成された他のｅＮＢに１次ｅＮＢが配信するために１つのコンポーネントキャリア上で１次ｅＮＢに送信され得る。たとえば、ベアラレベルスプリッティングでは、アップリンク許可のためのＳＲとＢＳＲとがｅＮＢごとに独立して実行され得る。
【００５６】
[0075]図６に示されているように、ＵＥ１１５−ａは、ＬＣＧ［１］６４２、ＬＣＧ［２］６４４、およびＬＣＧ［３］６４６という、３つの論理チャネルグループを有する。ＵＥ１１５−ａは、ｅＮＢ［Ａ］６０５−ａにＬＣＧ［１］６４２およびＬＣＧ［２］６４４を関連付け、ｅＮＢ［Ｂ］６０５−ｂにＬＣＧ［３］６４６を関連付ける。ｅＮＢ［Ａ］６５２のためのアップリンク報告は、各ｅＮＢに割り当てられたＬＣＧに基づいて、ｅＮＢ［Ｂ］６５４のためのアップリンク報告から独立して実行され得る。実施形態では、ＵＥ１１５−ａは、ｅＮＢごとに別個のタイマーを維持する。たとえば、ＵＥ１１５−ａは、ｅＮＢ［Ａ］およびｅＮＢ［Ｂ］のために別個のｒｅｔｘＢＳＲおよびｐｅｒｉｏｄｉｃＢＳＲタイマーを維持し得る。
【００５７】
[0076]図７に、様々な実施形態による、マルチフロー動作におけるベアラレベルスプリッティングのための方法７００のブロック図を示す。方法７００は、たとえば、図６に示されたＵＥ１１５−ａによって実行され得る。
【００５８】
[0077]ブロック７０５において、コンポーネントキャリアＡ６２５−ａ上でＵＥ１１５−ａとｅＮＢ［Ａ］６０５−ａとの間の接続を確立する。ブロック７１０において、コンポーネントキャリアＢ６２５−ｂ上でＵＥ１１５−ａとｅＮＢ［Ｂ］６０５−ｂとの間の接続を確立する。コンポーネントキャリアＡおよびコンポーネントキャリアＢは、アップリンク送信のために同時にコンポーネントキャリアＡまたはコンポーネントキャリアＢのいずれか、あるいはコンポーネントキャリアＡとコンポーネントキャリアＢの両方を利用する通信のためにＵＥ１１５−ａによって構成され、維持され得る。
【００５９】
[0078]ブロック７１５において、ＵＥ１１５−ａは、ｅＮＢ［Ａ］６０５−ａにアップリンク報告６５２のための１つまたは複数のＬＣＧを割り当てる。たとえば、ＵＥ１１５−ａは、図６に示されているようにｅＮＢ［Ａ］６０５−ａにアップリンク報告６５２のためのＬＣＧ［１］６４２およびＬＣＧ［２］６４４を割り当て得る。ブロック７２０において、ＵＥ１１５−ａは、セルｅＮＢ［Ｂ］６０５−ｂにアップリンク報告６５４のための１つまたは複数のＬＣＧを割り当てる。たとえば、ＵＥ１１５−ａは、図６に示されているようにｅＮＢ［Ｂ］６０５−ｂにアップリンク報告６５４のためのＬＣＧ［３］６４６を割り当て得る。
【００６０】
[0079]ブロック７３０において、ＵＥ１１５−ａは、各ｅＮＢに割り当てられたＬＣＧを監視し、そのｅＮＢに割り当てられたＬＣＧのバッファに基づいて各ｅＮＢのためのアップリンク報告を生成する。たとえば、ＵＥ１１５−ａは、ＬＣＧ［１］６４２とＬＣＧ［２］６４４とに関連付けられたバッファ内のアップリンク送信のために利用可能なデータに基づいてｅＮＢ［Ａ］６０５−ａのためのアップリンク報告を実行し得る。ＵＥ１１５−ａは、ＬＣＧ［３］６４６に関連付けられたバッファ内のアップリンク送信のために利用可能なデータに基づいてｅＮＢ［Ｂ］６０５−ｂのためのアップリンク報告を生成し得る。
【００６１】
[0080]ブロック７４０においてＳＲトリガ状態が発生した場合、ＵＥ１１５−ａは、ブロック７４５において、次の利用可能なＳＲリソースにおいてトリガリングｅＮＢにＳＲをシグナリングする。たとえば、ＬＣＧ［１］および／またはＬＣＧ［２］に関連付けられたバッファ内のデータが利用可能であり、その利用可能なデータについてアップリンク許可がスケジュールされないとき、ＳＲはｅＮＢ［Ａ］６０５−ａのためにトリガされ得る。ＵＥ１１５−ａは、次の利用可能なＳＲ送信機会（たとえば、ＣＣ［Ａ］６２５−ａのＰＵＣＣＨの構成リソースなど）においてＳＲをシグナリングし得る。ＵＥ１１５−ａによるＳＲ信号に応答して、ｅＮＢ［Ａ］６０５−ａは、ＵＥ１１５−ａのためのアップリンクリソースを決定し、ＣＣ［Ａ］６２５−ａのいくつかのリソース（たとえば、ＰＵＳＣＨリソース）上でのアップリンク送信についてのアップリンク許可をＵＥ１１５−ａに送り得る。
【００６２】
[0081]ブロック７５０においてＢＳＲトリガ状態がｅＮＢについて発生した場合、ＵＥ１１５−ａは、ブロック７５５において、トリガリングｅＮＢに関連付けられたＬＣＧのための利用可能なデータの量に基づいてバッファステータス値を決定する。ＵＥ１１５−ａは、ブロック７６０において、トリガリングｅＮＢにバッファステータス値（ＢＳＶ： buffer status value）を報告する。ＵＥ１１５−ａは、ＬＣＧ［３］６４６のための利用可能なデータに基づいてｅＮＢ［Ｂ］６０５−ｂのバッファステータス値を決定し得る。いくつかの実施形態では、ＢＳＲは、ＬＣＩＤに従って報告され得る。たとえば、ＵＥ１１５−ａは、単一のＢＳＲ要素中でＬＣＧごとにバッファステータス値とＬＣＩＤとを報告し得る。
【００６３】
[0082]図８に、様々な実施形態による、パケットレベルスプリッティングを使用するマルチフローアップリンク通信のためのワイヤレス通信システム８００を示す。ワイヤレス通信システム８００において、ＵＥ１１５−ｂは、（たとえば、トランシーバ８７０などを介して）複数のｅＮＢを用いて複数の同時アップリンクコンポーネントキャリアを維持する。図８において、ＵＥ１１５−ｂは、アップリンクコンポーネントキャリアＣＣ［Ａ］８２５−ａ上でｅＮＢ［Ａ］８０５−ａと通信し、アップリンクコンポーネントキャリアＣＣ［Ｂ］８２５−ｂ上でｅＮＢ［Ｂ］８０５−ｂと通信する。図８のアーキテクチャによれば、ｅＮＢ［Ａ］８０５−ａはＵＥ１１５−ｂのためのＰＣｅｌｌであり得、ｅＮＢ［Ｂ］８０５−ｂはＳＣｅｌｌであり得る。ＵＥ１１５−ｂはまた、ｅＮＢ［Ａ］、ｅＮＢ［Ｂ］、および／または他のｅＮＢから複数のダウンリンクコンポーネントキャリアを受信するように構成され得る。ｅＮＢ［Ａ］８０５−ａは、ワイヤラインバックホールリンクまたはワイヤレスバックホールリンクであり得るバックホールリンク８１２上でｅＮＢ［Ｂ］８０５−ｂと通信し得る。図８は２つのコンポーネントキャリアを使用して２つのｅＮＢと通信しているＵＥ１１５−ｂを示しているが、パケットレベルスプリッティングは、ＵＥ１１５−ｂが任意の数のｅＮＢを用いたマルチフロー動作にあるときに使用され得る。
【００６４】
[0083]ＵＥ１１５−ｂは、各ベアラがサービス品質（ＱｏＳ）要件のセットに関連付けられた、複数のベアラ（たとえば、ベアラ８３２、８３４、８３６）を有し得る。ベアラは、ＵＥ１１５−ｂのセッション（たとえば、アプリケーション、サービスなど）をサポートし、複数のセッションへの複数のパケットフローをサポートし得る。同じ必要をもつベアラは論理チャネルグループ（ＬＣＧ）にグループ化され得る。すなわち、論理チャネルグループは１つまたは複数の論理チャネルを含み得る。各論理チャネルグループは論理チャネルＩＤ（ＬＣＩＤ）に関連付けられ得る。セッションがデータ（たとえば、ＩＰパケット）を生成し、データがベアラＳＤＵ（たとえば、パケットデータコンバージェンスプロトコル（ＰＤＣＰ）ＳＤＵなど）にフォーマットされたとき、ベアラＳＤＵは、ＬＣＧに関連付けられたバッファに入力される。
【００６５】
[0084]論理チャネルＩＤは、共通マッピングまたは排他的マッピングを使用してＬＣＧに割り当てられ得る。ＭＡＣレイヤは、同じ論理チャネルＩＤをもつＲＬＣおよび／またはＰＤＣＰサブレイヤにおけるＬＣＧからのアップリンクデータおよびダウンリンクデータを、物理レイヤ８６０における適切なｅＮＢおよび／またはコンポーネントキャリアリソースにおよびそれからダイレクトするために、論理チャネルグループと物理レイヤ８６０との間の論理チャネルＩＤマッピングを管理し得る。
【００６６】
[0085]パケットレベルスプリッティング実施形態において、ＵＥは、アップリンク報告８５０のためにすべてのＬＣＧのためのバッファを共通プールにグループ化する。データがＬＣＧバッファに到着すると、ＵＥは、バッファの共通プール内のデータの量に基づいてアップリンク報告をトリガする。アップリンク報告は、各ｅＮＢに関連付けられたコンポーネントキャリア上で各ｅＮＢスケジューラに送信されるか、または、ＵＥからのアップリンクデータを受信するように構成された他のｅＮＢに１次ｅＮＢが配信するために１つのコンポーネントキャリア上で１次ｅＮＢに送信され得る。
【００６７】
[0086]いくつかのパケットレベルスプリッティング実施形態において、ＵＥは、バッファステータスを報告するための共通バッファプール内の送信のために利用可能なデータの総量に基づいてｅＮＢにバッファステータス値を報告し得る。図９Ａに、様々な実施形態による、パケットレベルスプリッティングを使用するアップリンク報告のための方法９００−ａを示す。方法９００−ａは、たとえば、図８に示されたＵＥ１１５−ｂによって実行され得る。
【００６８】
[0087]ブロック９０５において、コンポーネントキャリアＡ８２５−ａ上でＵＥ１１５−ｂとｅＮＢ［Ａ］８０５−ａとの間の接続を確立する。ブロック９１０において、コンポーネントキャリアＢ８２５−ｂ上でＵＥ１１５−ｂとｅＮＢ［Ｂ］８０５−ｂとの間の接続を確立する。コンポーネントキャリアＡおよびコンポーネントキャリアＢは、ＵＥ１１５−ｂがアップリンク送信のためにコンポーネントキャリアＡまたはコンポーネントキャリアＢのいずれか、あるいはコンポーネントキャリアＡとコンポーネントキャリアＢの両方を同時に利用するために、構成され、維持され得る。
【００６９】
[0088]ブロック９２０−ａにおいて、ＵＥ１１５−ｂは、ＬＣＧ８４２、８４４、および８４６のためのバッファ中にアップリンクデータを含む共通バッファプールを監視する。ブロック９３０においてスケジューリング要求を送るための状態がトリガされた場合、ＵＥ１１５−ｂは、ブロック９３５において、ｅＮＢ［Ａ］８０５−ａおよび／またはｅＮＢ［Ｂ］８０５−ｂに、割り振られたリソース上でＳＲを送る。たとえば、共通バッファプール中の新しいデータが利用可能であり、ＵＥ１１５−ｂは、そのデータを送信するために、スケジュールされたアップリンクリソース（たとえば、ＰＵＳＣＨなど）を有しないが、ＣＣ［Ａ］８２５−ａおよび／またはＣＣ［Ｂ］８２５−ｂ上のＳＲのために構成された有効なＰＵＣＣＨリソースを有する場合、ＵＥ１１５−ｂは、ＣＣ［Ａ］８２５−ａおよび／またはＣＣ［Ｂ］８２５−ｂのための構成ＳＲリソース上でＳＲをシグナリングし得る。
【００７０】
[0089]実施形態では、ＳＲリソースのための単一の構成が各ｅＮＢに適用可能である。たとえば、ＳＲリソースは、ＣＣ［Ａ］８２５−ａおよびＣＣ［Ｂ］８２５−ｂのためのＰＵＣＣＨチャネルの対応するリソース（たとえば、同じＴＴＩおよび／またはリソース要素など）を使用してｅＮＢ［Ａ］８０５−ａおよびｅＮＢ［Ｂ］８０５−ｂのために構成され得る。実施形態では、ＳＲリソースは、セルにわたって独立して構成される。これらの実施形態では、ＣＣ［Ａ］８２５−ａのための構成ＳＲリソースは、ＣＣ［Ｂ］８２５−ｂのための構成ＳＲリソースに対して時間的にスタッガ（stagger）され得る（たとえば、異なるＴＴＩおよび／または直交リソース要素など）。
【００７１】
[0090]実施形態では、ＵＥがそれについてアップリンクリソースを要求しおよび／またはＢＳＲを報告するｅＮＢの数は、利用可能なデータの量に依存し得る。たとえば、ＵＥ１１５−ｂが、バッファプール中に新しいデータを有するが、スケジュールされたアップリンクリソースを有しない場合、ＵＥ１１５−ｂは、この新しいデータの送信のために、ｅＮＢ［Ａ］８０５−ａまたはｅＮＢ［Ｂ］８０５−ｂのうちの１つ、またはｅＮＢ［Ａ］８０５とｅＮＢ［Ｂ］８０５−ｂの両方にアップリンクリソースを要求すべきかどうかを決定し得る。ＵＥ１１５−ｂは、バッファプール中のデータの量をしきい値と比較し、データの量がしきい値を下回るときは１つのセル（たとえば、ＰＣｅｌｌ  ｅＮＢ［Ａ］８０５−ａ）にリソースを要求し、データの量がしきい値に等しいかまたはそれを上回るときは２つ以上のセル（たとえば、ＰＣｅｌｌおよび１つまたは複数のＳＣｅｌｌ）にリソースを要求し得る。データの量がしきい値を下回る場合、ＵＥ１１５−ｂは、ｅＮＢ［Ａ］８０５−ａにスケジューリング要求を送信し、ＣＣ［Ａ］８２５−ａ上でｅＮＢ［Ａ］８０５−ａからアップリンク許可を受信し、ＣＣ［Ａ］８２５−ａについてのアップリンク許可を使用してデータを送信し得る。ＵＥ１１５−ｂは、バッファプール中のデータの量に基づいてｅＮＢ［Ａ］８０５−ａへのアップリンク報告を実行（たとえば、ＢＳＲを報告）し続け得る。バッファプール中のデータの量が、その後、しきい値に等しいかまたはそれよりも大きくなった場合、ＵＥ１１５−ｂは、ｅＮＢ［Ｂ］８０５−ｂにアップリンクリソースを要求し得る。ＣＣ［Ａ］８２５−ａとＣＣ［Ｂ］８２５−ｂの両方の上でアップリンク許可が利用可能であるとき、ＵＥ１１５−ｂは、以下で説明する技法を使用してｅＮＢ［Ａ］８０５−ａとｅＮＢ［Ｂ］８０５−ｂの両方にＢＳＲを報告し得る。
【００７２】
[0091]複数のセルのためのアップリンク報告を実行している間、ＵＥ１１５−ｂは、バッファ中の利用可能なデータの量をしきい値と比較し続け得る。たとえば、バッファプール中のデータの量がしきい値を下回る場合、ＵＥ１１５−ｂは、セルのうちの１つまたは複数（たとえば、ＳＣｅｌｌ  ｅＮＢ［Ｂ］８０５−ｂなど）へのＢＳＲを中止（または０のバッファサイズをもつＢＳＲを報告）し得る。これらの技法を使用することにより、バッファデータの量が比較的高いとき、アップリンク送信は複数のセルによってスケジュールされ得、それによって、マルチフロー送信を使用してより高い達成可能なアップリンクレートが与えられる。バッファプール中へのデータフローが比較的高かったが、急速にドロップした場合、アップリンク許可が１つまたは複数のセルについて依然としてスケジュールされている間、バッファは空になり得る。この事例では、ＵＥは、０のバッファサイズをもつＢＳＲを報告し得、達成可能なデータレートと比較してオーバーヘッドの影響が比較的小さくなり得る。利用可能なデータの量が低い場合、複数のセルのためのアップリンク報告を実行すると、リソースのオーバースケジューリングが生じ得、セルのうちの１つまたは複数のためのＢＳＲを中止すると、オーバーヘッド損失が低減する。
【００７３】
[0092]方法９００−ａは、ブロック９４０−ａにおいてバッファステータス報告を実行する。ブロック９４２−ａにおいてＢＳＲトリガ状態が検出された場合、ＵＥ１１５−ｂは、ブロック９４４−ａにおいて、バッファプール中のすべてのＬＣＧ上のデータの総量に基づいてバッファステータス値を決定する。ＵＥ１１５−ｂは、ブロック９４６−ａにおいて、ｅＮＢ［Ａ］８０５−ａおよび／またはｅＮＢ［Ｂ］８０５−ｂにバッファステータス値を報告する。以下で説明するように、ＵＥ１１５−ｂは、各セルへのＢＳＲ送信の時間における実際のバッファステータス値を報告し得、またはＵＥ１１５−ｂは、第１のセルへの最後のＢＳＲ送信の時間におけるバッファステータス値をすべてのセルに報告し得る。
【００７４】
[0093]いくつかのパケットレベルスプリッティング実施形態では、スケーリング係数がｅＮＢごとに決定され得、ｅＮＢに報告されるバッファステータス値は、それぞれの係数によってスケーリングされた共通バッファプール中での送信のために利用可能なデータの総量に基づき得る。図９Ｂに、様々な実施形態による、パケットレベルスプリッティングのためのスケーリング係数を使用するアップリンク報告のための方法９００−ｂを示す。方法９００−ｂは、たとえば、図８に示されたＵＥ１１５−ｂによって実行され得る。
【００７５】
[0094]ＵＥ１１５−ｂが、図９Ａを参照しながら説明したようにブロック９０５および９１０において、ｅＮＢ［Ａ］８０５−ａおよびｅＮＢ［Ｂ］８０５−ｂへの接続を確立すると考える。ブロック９１５において、ＵＥ１１５−ｂからのアップリンク報告についてスケーリング係数を決定する。たとえば、ｅＮＢ［Ａ］８０５−ａおよびｅＮＢ［Ｂ］８０５−ｂについてそれぞれスケーリング係数αおよびスケーリング係数βが決定され得る。いくつかの実施形態では、スケーリング係数はｅＮＢによって決定され得る。たとえば、ＵＥからのアップリンク送信のためのコンポーネントキャリアを確立したｅＮＢが、ＵＥからのアップリンク送信をサービスするためのサービス比（またはサービス比行列）をネゴシエートまたは交換し得る。ｅＮＢは、ｅＮＢのローディングおよび／または他のファクタに基づいてサービス比を決定し得る。ｅＮＢは、ＲＲＣ構成を介してＵＥにスケーリング係数を送り得る。いくつかの実施形態では、ＵＥ１１５−ｂがスケーリング係数αおよびβを決定し得る。これらの実施形態では、ＵＥ１１５−ｂは、ｅＮＢにスケーリング係数を送ることも、または送らないこともある。たとえば、ＵＥ１１５−ｂは、スケーリング係数を決定し、スケーリング係数によってスケーリングされたバッファプール中のデータの量に基づいてそれぞれのｅＮＢにバッファステータス値を報告し得る。ｅＮＢは、報告されたバッファステータス値に基づいてリソースをスケジュールし得る。
【００７６】
[0095]方法９００−ｂは、ブロック９４０−ｂにおいてバッファステータス報告を実行する。ブロック９４２−ｂにおいてＢＳＲトリガ状態が検出された場合、ＵＥ１１５−ａは、ブロック９４４−ｂにおいて、報告するためのバッファステータス値を決定する。報告されるバッファステータス値は、バッファステータスが報告されるべきｅＮＢのためのスケーリング係数によってスケーリングされたバッファプール中のすべてのＬＣＧ上のデータの総量に基づいて決定され得る。たとえば、ＢＳＲがトリガされた場合、ＵＥ１１５−ｂは、スケーリング係数αによってスケーリングされたバッファプール中の総データに基づいてｅＮＢ［Ａ］８０５−ａのバッファステータス値を決定し、スケーリング係数βによってスケーリングされたバッファプール中の総データに基づいてｅＮＢ［Ｂ］８０５−ｂのバッファステータス値を決定し得る。ＵＥ１１５−ｂは、ブロック９４６−ｂにおいて、ｅＮＢ［Ａ］８０５−ａおよび／またはｅＮＢ［Ｂ］８０５−ｂにバッファステータス値を報告する。以下で説明するように、ＵＥ１１５−ｂは、各セルへのＢＳＲ送信の時間における実際のバッファステータス値を報告し得、またはＵＥ１１５−ｂは、第１のセルへのＢＳＲ送信の時間における利用可能な総データに基づいてバッファステータスをすべてのセルに報告し得る。
【００７７】
[0096]いくつかの実施形態では、アップリンクスケーリング係数がＬＣＧごとに独立して決定され得る。たとえば再び図８を参照すると、スケーリング係数α1、α2、およびα3がそれぞれＬＣＧ［１］８４２、ＬＣＧ［２］８４４、およびＬＣＧ［３］８４６について決定され得る。これらの実施形態では、ｅＮＢ［Ａ］８０５−ａのための報告されるバッファステータス値は、ＬＣＧの任意の数Ｎについて、次式に従って計算されるバッファサイズ（ＢＵＦＳＩＺＥ［Ａ］）に基づいて決定され得る。
【数１】
0006498642.tif 000002
【００７８】
[0097]同様に、スケーリング係数β1、β2、およびβ3がそれぞれＬＣＧ［１］８４２、ＬＣＧ［２］８４４、およびＬＣＧ［３］８４６について決定され得る。ｅＮＢ［Ｂ］８０５−ｂのための報告されるバッファステータス値は、ＬＣＧの任意の数Ｎについて、次式に従って計算されるバッファサイズ（ＢＵＦＳＩＺＥ［Ｂ］）に基づいて決定され得る。
【数２】
0006498642.tif 000003
【００７９】
[0098]パケットレベルスプリッティング実施形態においてＬＣＧ固有スケーリング係数が使用される場合、ＬＣＧ固有係数は、論理チャネルグループからアップリンク許可リソースへのパケットのマッピングにおいて利用され得る。たとえば、ＬＣＧのスケーリング係数に基づいて、ＬＣＧバッファからのパケットがコンポーネントキャリアおよび／またはｅＮＢに割り当てられ得る。
【００８０】
[0099]いくつかの実施形態では、各セルへの報告されるバッファステータス値は、バッファステータスを報告する時におけるバッファプール中のデータの実際の量に対応し得る。図１０Ａに、様々な実施形態による、バッファプール中のデータの実際の量に基づいてバッファステータスを報告するための方法１０００−ａを示す。方法１０００−ａは、図８に示されているＵＥ１１５−ｂによって実行され得、方法９００−ａのバッファステータス報告９４０−ａおよび／または方法９００−ｂのバッファステータス報告９４０−ｂのための実施形態を示し得る。
【００８１】
[00100]方法１０００−ａは、ｅＮＢのためのバッファステータス報告がトリガされたとき、ブロック１０２０−ａにおいて開始する。バッファステータス報告は、タイマーまたは他の状態（たとえば、パディングＢＳＲなど）によってトリガされ得る。実施形態では、ＵＥ１１５−ｂは、ｅＮＢごとに別個のタイマーを維持する。たとえば、ＵＥ１１５−ｂは、ｅＮＢ［Ａ］８０５−ａおよびｅＮＢ［Ｂ］８０５−ｂのために別個のｒｅｔｘＢＳＲおよびｐｅｒｉｏｄｉｃＢＳＲタイマーを維持し得る。
【００８２】
[00101]ブロック１０２５−ａにおいて、ＵＥ１１５−ｂは、ｅＮＢ［Ａ］および／またはｅＮＢ［Ｂ］のためのＢＳＲがトリガされたかどうかを決定する。ブロック１０３０−ａにおいて、ＵＥ１１５−ｂは、（たとえば、現在スケジュールされているアップリンク許可において送信されるべきデータを考慮した後に）送信されるべき残りのバッファプール中のデータの量に基づいてバッファステータス値を決定する。バッファステータス値は、上記で説明したようにデータの総量またはデータのスケーリングされた総量に基づいて決定され得る。ブロック１０３５−ａにおいて、決定されたバッファステータス値を、ブロック１１２５−ａにおいて決定されたＢＳＲトリガに関連付けられたｅＮＢに報告する。
【００８３】
[00102]後続の時間において別のｅＮＢのためのバッファステータス報告がトリガされたとき、ＵＥ１１５−ｂは、ブロック１０２０−ａにおいて再び方法１０００−ａを開始する。したがって、ＵＥ１１５−ｂは、バッファプール中の新しい量のデータ（たとえば、ＢＳＲ間にいくつかが送信された場合はより低い量のデータ、またはＢＳＲ間に追加のパケットがバッファ中に入った場合はより高い量のデータなど）に基づいて、更新されたバッファステータス値を決定し、報告する。
【００８４】
[00103]いくつかの実施形態では、ＵＥは、セルのうちの１つのためのＢＳＲトリガリングの時におけるバッファプール中のデータの量に基づいて各セルにバッファステータスを報告し得る。図１０Ｂに、様々な実施形態による、第１のＢＳＲトリガの時におけるバッファプール中のデータの量に基づいて各セルにバッファステータスを報告するための方法１０００−ｂを示す。方法１０００−ｂは、図８に示されているＵＥ１１５−ｂによって実行され得、方法９００−ａのバッファステータス報告９４０−ａおよび／または方法９００−ｂのバッファステータス報告９４０−ｂのための実施形態を示し得る。
【００８５】
[00104]方法１０００−ｂは、ｅＮＢのためのバッファステータス報告がトリガされたとき、ブロック１０２０−ｂにおいて開始する。バッファステータス報告は、タイマーまたは他の状態（たとえば、パディングＢＳＲなど）によってトリガされ得る。ブロック１０２５−ｂにおいて、ＵＥ１１５−ｂは、ｅＮＢ［Ａ］８０５−ａおよび／またはｅＮＢ［Ｂ］８０５−ｂのためのＢＳＲがトリガされたかどうかを決定する。ブロック１０３０−ｂにおいて、ＵＥ１１５−ｂは、共通バッファプール中でのアップリンク送信のための利用可能なデータの量を決定し、すべてのｅＮＢのためのバッファ報告において使用するデータの量を記憶する。
【００８６】
[00105]ブロック１０３５−ｂにおいて、ＵＥ１１５−ｂは、トリガリングｅＮＢのためのバッファステータス値を決定する。ＵＥ１１５−ｂは、トリガリングｅＮＢのためのバッファステータス値を決定するために、上記で説明した技法（たとえば、総データに基づく報告、スケーリング係数を使用する報告など）のいずれかを使用し得る。ブロック１０４０において、ＵＥ１１５−ｂは、トリガリングｅＮＢにバッファステータス値を報告する。
【００８７】
[00106]ブロック１０４５において、ＵＥ１１５−ｂは、別のｅＮＢのためのＢＳＲトリガリングイベントまたは送信機会（たとえば、周期的ＢＳＲ、パディングＢＳＲなど）が発生したことを決定する。ブロック１０５０において、ＵＥ１１５−ｂは、ブロック１０３０−ｂからのデータの記憶された量に基づいて、トリガリングｅＮＢのためのバッファステータス値を決定する。ＵＥ１１５−ｂは、ブロック１０５５において、トリガリングｅＮＢにバッファステータス値を報告する。
【００８８】
[00107]ブロック１０６０において、ＵＥ１１５−ｂは、ブロック１０３０−ｂからのデータの記憶された量に基づいて、ＢＳＲがすべてのｅＮＢに報告されたかどうかを決定する。ＵＥ１１５−ｂが、データの記憶された量に基づいてすべてのｅＮＢにＢＳＲを報告したとき、方法１０００−ｂは、ブロック１０２０−ｂに戻り、ＢＳＲトリガリング状態についてバッファプールを監視し続ける。さもなければ、方法１０００−ｂは、ブロック１０４５において、ＢＳＲが報告されていないｅＮＢのためのＢＳＲ状態を待つ。
【００８９】
[00108]実施形態では、ＵＥ１１５−ｂは、ｅＮＢごとに別個のタイマーを維持する。たとえば、ＵＥ１１５−ｂは、ｅＮＢ［Ａ］８０５−ａおよびｅＮＢ［Ｂ］８０５−ｂのために別個のｒｅｔｘＢＳＲおよびｐｅｒｉｏｄｉｃＢＳＲタイマーを維持し得る。いくつかの実施形態では、ＵＥ１１５−ｂは、すべてのｅＮＢのためのＢＳＲ報告のためにタイマーの共通セットを維持する。ブロック１０２５−ｂにおいて第１のｅＮＢのためにトリガされたＢＳＲは、ブロック１０４５においてすべてのセルのためのＢＳＲをトリガし得る。たとえば、タイマーの共通セットが使用される場合、ブロック１０２５−ｂにおける共通ＢＳＲタイマーの満了が、ブロック１０４５においてすべてのセルのためのＢＳＲをトリガし得る。
【００９０】
[00109]図１１に、様々な実施形態による、ＵＥ１１５−ｂと複数のセルとの間のマルチフロー動作の一例を示す流れ図１１００を示す。流れ図１１００において、ＵＥ１１５−ｂは、ｅＮＢ［Ａ］８０５−ａとの通信のためのアップリンクコンポーネントキャリアＣＣ［Ａ］８２５−ａと、ｅＮＢ［Ｂ］８０５−ｂとの通信のためのアップリンクコンポーネントキャリアＣＣ［Ｂ］８２５−ｂとを維持する。
【００９１】
[00110]ブロック１１０５より前に、ＵＥ１１５−ｂは、ｅＮＢ［Ａ］８０５−ａまたはｅＮＢ［Ｂ］８０５−ｂのいずれかによって許可されたアップリンクリソースを有しないことがある。ブロック１１０５において、データが、ＵＥ１１５−ｂの１つまたは複数のＬＣＧによるアップリンク送信のために利用可能になり得る。流れ図１１００では、ブロック１１０５において、４００バイトのデータがアップリンク送信のために利用可能になる。
【００９２】
[00111]ＵＥ１１５−ｂは、アップリンク送信のためのリソースを要求しているｅＮＢ［Ａ］８０５−ａにスケジューリング要求１１１０をシグナリングする。スケジューリング要求１１１０は、ｅＮＢ［Ａ］８０５−ａによってＵＥ１１５−ｂのスケジューリング要求のために構成されたＣＣ［Ａ］８２５−ａのリソースを使用して送信され得る。ＵＥ１１５−ｂはまた、アップリンク送信のためのリソースを要求しているｅＮＢ［Ｂ］８０５−ｂにスケジューリング要求１１１５をシグナリングする。スケジューリング要求１１１５は、ｅＮＢ［Ｂ］８０５−ｂによってＵＥ１１５−ｂのスケジューリング要求のために構成されたＣＣ［Ｂ］８２５−ｂのリソースを使用して送信され得る。上記で説明したように、スケジューリング要求１１１０とスケジューリング要求１１１５とのための送信機会は、対応するリソース要素中にまたは直交リソース中に割り振られ得る。マルチフロー動作における複数のセルのためのアップリンクスケジューリングのためにシングルキャリアが使用され得る場合、スケジューリング要求１１１０とスケジューリング要求１１１５とは、同じコンポーネントキャリア（たとえば、ＣＣ［Ａ］８２５−ａまたはＣＣ［Ｂ］８２５−ｂのリソースを使用して送信され得る。
【００９３】
[00112]ＵＥ１１５−ｂは、スケジューリング要求１１１０に応答してｅＮＢ［Ａ］８０５−ａからアップリンク許可を受信し得る。ＵＥ１１５−ｂは、アップリンク許可１１２０において利用可能なデータの一部分を送信し得る。図示の例では、ＵＥ１１５−ｂは１００バイトを送信する。アップリンク許可１１２０において、ＵＥ１１５−ｂはまた、ｅＮＢ［Ａ］８０５−ａにＢＳＲ［１Ａ］におけるバッファステータスを報告する。
【００９４】
[00113]ＵＥ１１５−ｂは、スケジューリング要求１１１５に応答してｅＮＢ［Ｂ］８０５−ｂからアップリンク許可を受信し得る。ＵＥ１１５−ｂは、アップリンク許可１１２５において利用可能なデータの別の部分を送信し得る。図示の例では、ＵＥ１１５−ｂは、アップリンク許可１１２５において５０バイトを送信する。アップリンク許可１１２５において、ＵＥ１１５−ｂはまた、ｅＮＢ［Ｂ］８０５−ｂにＢＳＲ［１Ｂ］におけるバッファステータスを報告する。上記で説明したように、ＢＳＲ［１Ｂ］は、ｅＮＢ［Ａ］８０５−ａへのバッファステータスの報告の時間におけるバッファプール中のデータの量に基づき得、またはＢＳＲ［１Ｂ］は、ｅＮＢ［Ｂ］にＢＳＲ［１Ｂ］を報告する時におけるバッファプール中のデータの実際の量に基づき得る。上記で説明したように、ＢＳＲ［１Ａ］および／またはＢＳＲ［１Ｂ］において報告されるバッファステータス値は、バッファプール中のデータの総量に基づくか、あるいは各ｅＮＢに関連付けられたスケーリング係数または各ＬＣＧと各ｅＮＢとに関連付けられたスケーリング係数によってスケーリングされたバッファプール中のデータの総量に基づき得る。
【００９５】
[00114]図１２Ａは、様々な実施形態による、マルチフロー動作におけるアップリンク報告のためのデバイス１２００−ａを示すブロック図である。デバイス１２００−ａは、図１、図２、図６、図８、図１３、および／または図１５を参照しながら説明するユーザ機器１１５の１つまたは複数の態様の一例であり得る。デバイス１２００−ａはプロセッサでもあり得る。デバイス１２００−ａは、受信機モジュール１２１０、送信機モジュール１２２０、マルチフローキャリア管理モジュール１２３０−ａ、マルチフローアップリンク報告モジュール１２４０−ａ、および／またはマルチフローアップリンクデータモジュール１２５０を含み得る。これらの構成要素の各々は互いに通信していることがある。
【００９６】
[00115]マルチフローキャリア管理モジュール１２３０−ａは、（受信機１２１０および送信機１２２０を介して）同時に複数のセルとの複数の通信リンクを確立し、維持し得る。たとえば、マルチフローキャリア管理モジュール１２３０−ａは、同時に複数の独立したコンポーネントキャリア上で複数のｅＮＢとの通信を管理するように構成され得る。各コンポーネントキャリアは、アップリンクデータ通信のための物理アップリンク共有チャネル、および／またはアップリンクデバイスおよび／またはチャネルリソース構成情報のための物理アップリンク制御チャネルを含み得る。一実施形態では、マルチフローキャリア管理モジュール１２３０−ａは、複数のｅＮＢとの実質的に同時通信のための複数のアップリンクコンポーネントキャリアを確立し、ここで、各アップリンクコンポーネントキャリアは、デバイス１２００−ａとｅＮＢ１０５との間の構成情報の通信のための物理アップリンク制御チャネルを含む。
【００９７】
[00116]マルチフローアップリンクデータモジュール１２５０は、複数の通信リンクのためのデータフローを管理し得る。たとえば、マルチフローアップリンクデータモジュール１２５０は、アップリンク送信のために利用可能なデータを有するベアラおよび／または論理チャネルグループのセットを決定し、アップリンクデータに関連付けられた情報をマルチフローアップリンク報告モジュール１２４０−ａに通信し得る。マルチフローアップリンクデータモジュール１２５０は、確立されたコンポーネントキャリア上で（送信機１２２０を介して）論理チャネルグループとｅＮＢとの間のデータフローを管理し得る。
【００９８】
[00117]マルチフローアップリンク報告モジュール１２４０−ａは、複数の通信リンクのためのアップリンク報告を実行し得る。実施形態では、マルチフローアップリンク報告モジュール１２４０−ａは、図６、図７、図８、図９Ａ、図９Ｂ、図１０Ａ、および／または図１０Ｂを参照しながら上記で説明した技法を使用して複数の通信リンクのためのＳＲおよび／またはＢＳＲを管理する。たとえば、マルチフローアップリンク報告モジュール１２４０−ａは、上記で説明したベアラレベルスプリッティングおよび／またはパケットレベルスプリッティング技法を使用してアップリンク報告を実行し得る。
【００９９】
[00118]図１２Ｂは、様々な実施形態による、ベアラレベルスプリッティングを使用するマルチフロー動作におけるアップリンク報告のためのデバイス１２００−ｂを示すブロック図である。デバイス１２００−ｂは、図１、図２、図６、図８、図１３、および／または図１５を参照しながら説明するユーザ機器１１５の１つまたは複数の態様の一例であり得る。デバイス１２００−ｂはプロセッサでもあり得る。デバイス１２００−ｂは、受信機モジュール１２１０、送信機モジュール１２２０、マルチフローキャリア管理モジュール１２３０−ｂ、ベアラレベルアップリンク報告モジュール１２４０−ｂ、論理チャネルグループマッピングモジュール１２６０、および／またはマッピングされた論理チャネルグループバッファ管理モジュール１２６５を含み得る。受信機１２１０、送信機１２２０、および／またはマルチフローキャリア管理モジュール１２３０−ｂの機能は、図１２Ａの対応するモジュールと実質的に等価であり得、簡潔のためにここでは繰り返さないことがある。これらの構成要素の各々は互いに通信していることがある。
【０１００】
[00119]論理チャネルグループマッピングモジュール１２６０は、アップリンクデータの送信のための複数のコンポーネントキャリアおよび／または複数のｅＮＢの各々に１つまたは複数の論理チャネルグループを関連付け得る。たとえば、ＵＥ１１５が、複数のコンポーネントキャリア上でのＵＥ１１５と複数のｅＮＢとの間のアップリンクデータの通信のために使用される論理チャネルグループのセットを有し得る。各論理チャネルグループは、関連付けられた論理チャネルグループＩＤを有し得る。各コンポーネントキャリアは、マルチフローキャリア管理モジュール１２３０−ｂによって確立された物理アップリンク共有チャネルを有し得る。論理チャネルグループマッピングモジュール１２６０は、複数のｅＮＢのうちの１つに論理チャネルグループのセットのうちの１つのサブセットを関連付け、複数のｅＮＢのうちの異なる１つに論理チャネルグループのセットのうちの別の異なるサブセットを関連付け得る。論理チャネルグループマッピングモジュール１２６０は、論理チャネルグループの各サブセットからのデータを適切な物理アップリンクチャネルにマッピングすることによって、論理チャネルグループのサブセットのためのアップリンクデータを管理し得る。論理チャネルグループマッピングモジュール１２６０は、上記で説明したように、共通論理チャネルＩＤマッピングまたは排他的論理チャネルＩＤマッピングを用いてアップリンクデータマッピングを管理し得る。
【０１０１】
[00120]マッピングされた論理チャネルグループバッファ管理モジュール１２６５は、論理チャネルグループのセットについてアップリンクデータバッファを監視し得る。論理チャネルグループバッファ管理モジュール１２６５は、論理チャネルグループバッファの各々中の利用可能なデータの量を、アップリンク報告のためにベアラレベルアップリンク報告モジュール１２４０−ｂに通信し得る。
【０１０２】
[00121]ベアラレベルアップリンク報告モジュール１２４０−ｂは、関連付けられた各ｅＮＢへの論理チャネルグループの各サブセットについてのアップリンク報告を独立して実行し得る。たとえば、ベアラレベルアップリンク報告モジュール１２４０−ｂは、各ｅＮＢに関連付けられた論理チャネルグループバッファ中でのアップリンク送信のために利用可能なデータに基づいて、各ｅＮＢにＳＲをシグナリングし、ＢＳＲを報告し得る。
【０１０３】
[00122]図１２Ｃは、様々な実施形態による、パケットレベルスプリッティングを使用するマルチフロー動作におけるアップリンク報告のためのデバイス１２００−ｃを示すブロック図である。デバイス１２００−ｃは、図１、図２、図６、図８、図１３、および／または図１５を参照しながら説明するユーザ機器１１５の１つまたは複数の態様の一例であり得る。デバイス１２００−ｃはプロセッサでもあり得る。デバイス１２００−ｃは、受信機モジュール１２１０、送信機モジュール１２２０、マルチフローキャリア管理モジュール１２３０−ｃ、パケットレベルアップリンク報告モジュール１２４０−ｃ、論理チャネルグループバッファ管理モジュール１２７０、および／または論理チャネルグループバッファスケーリングモジュール１２７５を含み得る。受信機１２１０、送信機１２２０、および／またはマルチフローキャリア管理モジュール１２３０−ｃの機能は、図１２Ａの対応するモジュールと実質的に等価であり得、簡潔のためにここでは繰り返さないことがある。これらの構成要素の各々は互いに通信していることがある。
【０１０４】
[00123]論理チャネルグループバッファ管理モジュール１２７０は、複数のｅＮＢとの複数の通信リンク上で論理チャネルグループからのデータを管理し得る。たとえば、論理チャネルグループバッファ管理モジュール１２７０は、マルチフロー動作を使用して、ＵＥからの送信のためのアップリンクデータの共通プールとして、論理チャネルグループからのアップリンクデータを管理し得る。論理チャネルグループバッファスケーリングモジュール１２７５は、複数の同時通信リンクのためのアップリンク報告のためのスケーリング係数を決定および／または管理し得る。たとえば、論理チャネルグループバッファスケーリングモジュール１２７５は、複数のｅＮＢの各々に共通バッファプール中のデータの量を報告するためのＢＳＲスケーリング係数を決定し得る。論理チャネルグループバッファスケーリングモジュール１２７５は、複数のｅＮＢの各々にＢＳＲを報告するためのバッファステータス値を決定するために、このスケーリング係数を適用し得る。実施形態では、論理チャネルグループバッファスケーリングモジュール１２７５は、各ＬＣについて個々にＢＳＲスケーリング係数を決定および／または管理する
[00124]パケットレベルアップリンク報告モジュール１２４０−ｃは、複数の通信リンクのためのＳＲおよびＢＳＲを実行し得る。たとえば、パケットレベルアップリンク報告モジュール１２４０−ｃは、複数のｅＮＢの各々についてＳＲをシグナリングし、ＢＳＲを実行し得る。パケットレベルアップリンク報告モジュール１２４０−ｃは、各セルへのＢＳＲ送信の時間における共通バッファプール中のデータの実際の量に基づいてＢＳＲを報告し得、または、パケットレベルアップリンク報告モジュール１２４０−ｃは、第１のセルへの最後のＢＳＲ送信の時間における共通バッファプール中のデータの量に基づいて各セルにＢＳＲを報告し得る。
【０１０５】
[00125]図１３は、様々な実施形態による、マルチフロー動作におけるアップリンクリソースを管理するためのデバイス１３００を示すブロック図である。デバイス１３００は、図１、図２、図６、図８、図１４、および／または図１５を参照しながら説明するｅＮＢ１０５の１つまたは複数の態様の一例であり得る。デバイス１３００はプロセッサでもあり得る。デバイス１３００は、受信機モジュール１３１０、送信機１３２０、アップリンクリソーススケジューリングモジュール１３３０、アップリンクサービス比管理モジュール１３４０、および／またはローディング管理モジュール１３５０を含み得る。これらの構成要素の各々は互いに通信していることがある。
【０１０６】
[00126]アップリンクリソーススケジューリングモジュール１３３０は、デバイス１３００とＵＥ１１５との間の通信のために使用されるアップリンクコンポーネントキャリアのリソースをスケジュールし得る。アップリンクサービス比管理モジュール１３４０は、デバイス１３００および１つまたは複数の他のサービングセルとの同時通信においてＵＥのためのアップリンクサービス比を決定し得る。ローディング管理モジュール１３５０は、マルチフロー動作において同じＵＥのうちのいくつかをサービスしていることがある他のセルに対してデバイス１３００のローディングを決定し得る。
【０１０７】
[00127]一例では、デバイス１３００は、アップリンク通信のためにＵＥ１１５をサービスしていることがある。ＵＥ１１５は、マルチフロー動作を使用して別のセルと同時アップリンク通信していることがある。アップリンクサービス比管理モジュール１３４０は、ＵＥ１１５のアップリンクサービスの一部分をデバイス１３００に割り振り、ＵＥ１１５のアップリンクサービスの別の部分を他のセルに割り振る、アップリンクサービス比を決定し得る。アップリンクサービス比管理モジュール１３４０は、サービス比を他のセルとネゴシエートまたは交換することによってアップリンクサービス比を決定し得る。アップリンクサービス比は、デバイス１３００と他のセルとの相対的ローディング、ならびにＵＥ１１５とデバイス１３００およびＵＥ１１５と他のセルの間の相対的チャネル状態に基づいて動的に調整され得る。アップリンクサービス比管理モジュール１３４０は、デバイス１３００および他のセルへのバッファステータス報告において使用するスケーリング係数をＵＥ１１５に送り得る。
【０１０８】
[00128]デバイス１１００、１２００−ａ、１２００−ｂ、および／または１３００の構成要素は、個別にまたは集合的に、ハードウェア中の適用可能な機能のうちの一部または全部を実行するように適合された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１０９】
[00129]図１４は、様々な実施形態による、マルチフロー動作におけるアップリンク報告のために構成されたモバイルデバイス１１５−ｃのブロック図１４００である。モバイルデバイス１１５−ｃは、パーソナルコンピュータ（たとえば、ラップトップコンピュータ、ネットブックコンピュータ、タブレットコンピュータなど）、セルラー電話、ＰＤＡ、スマートフォン、デジタルビデオレコーダ（ＤＶＲ）、インターネットアプライアンス、ゲームコンソール、電子リーダーなど、様々な構成のいずれかを有し得る。モバイルデバイス１１５−ｃは、モバイル操作を可能にするために、小型バッテリーなどの内部電源装置（図示せず）を有し得る。いくつかの実施形態では、モバイルデバイス１１５−ｃは、図１、図２、図６、図８、図１５、および／または図１６のモバイルデバイス１１５であり得る。
【０１１０】
[00130]モバイルデバイス１１５−ｃは、概して、通信を送信するための構成要素と通信を受信するための構成要素とを含む、双方向音声およびデータ通信のための構成要素を含み得る。モバイルデバイス１１５−ｃは、（たとえば、１つまたは複数のバスを介して）直接または間接的にそれぞれ互いに通信し得る、トランシーバモジュール１４１０と、（１つまたは複数の）アンテナ１４０５と、メモリ１４８０と、プロセッサモジュール１４７０とを含み得る。送受信機モジュール１４１０は、上記で説明したように、（１つまたは複数の）アンテナ１４０５および／または１つまたは複数のワイヤードリンクもしくはワイヤレスリンクを介して、１つまたは複数のネットワークと双方向に通信するように構成される。たとえば、トランシーバモジュール１４１０は、図１の基地局１０５と双方向に通信するように構成され得る。トランシーバモジュール１４１０は、パケットを変調し、変調されたパケットを送信のために（１つまたは複数の）アンテナ１４０５に与え、（１つまたは複数の）アンテナ１４０５から受信されたパケットを復調するように構成されたモデムを含み得る。モバイルデバイス１１５−ｃは単一のアンテナ１４０５を含み得るが、モバイルデバイス１１５−ｃは、複数のワイヤレス送信を同時に送信および／または受信することが可能な複数のアンテナ１４０５を有し得る。トランシーバモジュール１４１０は、複数のコンポーネントキャリアを介して複数のｅＮＢと同時に通信することが可能であり得る。
【０１１１】
[00131]メモリ１４８０は、ランダムアクセスメモリ（ＲＡＭ）と読取り専用メモリ（ＲＯＭ）とを含み得る。メモリ１４８０は、実行されるとプロセッサモジュール１４７０に本明細書で説明する様々な機能（たとえば、呼処理、データベース管理、マルチフローデータ処理、アップリンク報告など）を実行させるように構成された命令を含んでいるコンピュータ可読、コンピュータ実行可能ソフトウェア／ファームウェアコード１４８５を記憶し得る。代替的に、ソフトウェア／ファームウェアコード１４８５は、プロセッサモジュール１４７０によって直接的に実行可能でないことがあるが、（たとえば、コンパイルされ実行されると）コンピュータに本明細書で説明する機能を実行させるように構成され得る。
【０１１２】
[00132]プロセッサモジュール１４７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。モバイルデバイス１１５−ｃは、マイクロフォンを介してオーディオを受信し、そのオーディオを、受信したオーディオを表す（たとえば、長さ２０ｍｓ、長さ３０ｍｓなどの）パケットに変換し、そのオーディオパケットをトランシーバモジュール１４１０に与え、ユーザが話しているかどうかの指示を与えるように構成された、音声エンコーダ（図示せず）を含み得る。
【０１１３】
[00133]図１４のアーキテクチャによれば、モバイルデバイス１１５−ｃは、通信管理モジュール１４６０をさらに含み得る。通信管理モジュール１４６０は、基地局１０５との通信を管理し得る。例として、通信管理モジュール１４６０は、バスを介してモバイルデバイス１１５−ｃの他の構成要素のうちの一部または全部と通信しているモバイルデバイス１１５−ｃの構成要素であり得る。代替的に、通信管理モジュール１４６０の機能は、トランシーバモジュール１４１０の構成要素として、コンピュータプログラム製品として、および／またはプロセッサモジュール１４７０の１つまたは複数のコントローラ要素として実装され得る。
【０１１４】
[00134]いくつかの実施形態では、ハンドオーバモジュール１４６５は、ある基地局１０５から別の基地局へのモバイルデバイス１１５−ｃのハンドオーバプロシージャを実行するために利用され得る。たとえば、ハンドオーバモジュール１４６５は、音声および／またはデータ通信が基地局から受信されている、ある基地局から別の基地局へのモバイルデバイス１１５−ｃのハンドオーバプロシージャを実行し得る。
【０１１５】
[00135]モバイルデバイス１１５−ｃは、マルチフロー動作を使用して複数のｅＮＢとのアップリンク通信を実行するように構成され得る。モバイルデバイス１１５−ｃの構成要素は、図１２Ａ、図１２Ｂ、および／または図１２Ｃのデバイス１２００−ａ、１２００−ｂ、および／または１２００−ｃに関して上記で説明した態様を実装するように構成され得、簡潔のためにここでは繰り返さないことがある。たとえば、マルチフローキャリア管理モジュール１２３０−ｄは、図１２Ａ、図１２Ｂ、および／または図１２Ｃのマルチフローキャリア管理モジュール１２３０の１つまたは複数の態様の一例であり得、マルチフローアップリンク報告モジュール１２４０−ｄは、図１２Ａ、図１２Ｂ、および／または図１２Ｃのマルチフローアップリンク報告モジュール１２４０の１つまたは複数の態様の一例であり得、マルチフローアップリンクデータモジュール１２５０−ｂは、図１２Ａのマルチフローアップリンクデータモジュール１２５０−ａの一例であり得る。
【０１１６】
[00136]図１５に、様々な実施形態による、マルチフロー動作におけるアップリンク報告のために構成され得る通信システム１５００のブロック図を示す。このシステム１５００は、図１に示されたシステム１００、図２のシステム２００、および／または図１６のシステム１６００の態様の一例であり得る。基地局１０５−ｄは、（たとえば、１つまたは複数のバスを介して）直接または間接的にそれぞれ互いに通信していることがある、アンテナ１５４５と、トランシーバモジュール１５５０と、メモリ１５７０と、プロセッサモジュール１５６５とを含み得る。トランシーバモジュール１５５０は、アンテナ１５４５を介して、マルチモードユーザ機器であり得るユーザ機器１１５−ｄと双方向に通信するように構成され得る。トランシーバモジュール１５５０（および／または基地局１０５−ｅの他の構成要素）はまた、１つまたは複数のネットワークと双方向に通信するように構成され得る。場合によっては、基地局１０５−ｄは、ネットワーク通信モジュール１５７５を通して、ネットワーク１２０および／またはコントローラ１３０−ａと通信し得る。基地局１０５−ｄは、ｅノードＢ基地局、ホームｅノードＢ基地局、ノードＢ基地局、および／またはホームノードＢ基地局の一例であり得る。たとえば、基地局１０５−ｄは、図６および／または図８に示されているｅＮＢ  ６０５および／または８０５の一例であり得る。ネットワークコントローラ１３０−ａは、ｅノードＢ基地局の場合など、場合によっては、基地局１０５−ｄに組み込まれ得る。
【０１１７】
[00137]基地局１０５−ｄはまた、基地局１０５−ｍおよび基地局１０５−ｎなど、他の基地局１０５と通信し得る。基地局１０５の各々は、異なる無線アクセス技術など、異なるワイヤレス通信技術を使用してユーザ機器１１５−ｄと通信し得る。場合によっては、基地局１０５−ｄは、基地局通信モジュール１５１５を利用して、１０５−ｍおよび／または１０５−ｎなどの他の基地局と通信し得る。いくつかの実施形態では、基地局通信モジュール１５１５は、基地局１０５のいくつかの間の通信を行うために、ＬＴＥワイヤレス通信技術内のＸ２インターフェースを与え得る。いくつかの実施形態では、基地局１０５−ｄは、ネットワークコントローラ１３０−ａおよび／またはネットワーク１２０を通して他の基地局１０５と通信し得る。
【０１１８】
[00138]メモリ１５７０は、ランダムアクセスメモリ（ＲＡＭ）と読取り専用メモリ（ＲＯＭ）とを含み得る。メモリ１５７０はまた、実行されるとプロセッサモジュール１５６５に本明細書で説明する様々な機能（たとえば、呼処理、データベース管理、メッセージルーティングなど）を実行させるように構成された命令を含んでいるコンピュータ可読、コンピュータ実行可能ソフトウェアコード１５７１を記憶し得る。代替的に、ソフトウェア１５７１は、プロセッサモジュール１５６５によって直接的に実行可能でないことがあるが、たとえば、コンパイルされ実行されると、コンピュータに本明細書で説明する機能を実行させるように構成され得る。
【０１１９】
[00139]プロセッサモジュール１５６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール１５６５は、マイクロフォンを介してオーディオを受信し、そのオーディオを、受信したオーディオを表す（たとえば、長さ２０ｍｓの）パケットに変換し、そのオーディオパケットをトランシーバモジュール１５５０に与え、ユーザが話しているかどうかの指示を与えるように構成された、音声エンコーダ（図示せず）を含み得る。代替的に、エンコーダはパケットのみをトランシーバモジュール１５５０に供給し、パケット自体の供給または抑制／抑圧が、ユーザが話しているかどうかの指示を与え得る。
【０１２０】
[00140]トランシーバモジュール１５５０は、パケットを変調し、変調されたパケットを送信のためにアンテナ１５４５に与え、アンテナ１５４５から受信されたパケットを復調するように構成された、モデムを含み得る。基地局１０５−ｄのいくつかの例は単一のアンテナ１５４５を含み得るが、基地局１０５−ｅは、好ましくは、キャリアアグリゲーションをサポートし得る複数のリンクのための複数のアンテナ１５４５を含む。たとえば、ユーザ機器１１５−ｄとのマクロ通信をサポートするために１つまたは複数のリンクが使用され得る。
【０１２１】
[00141]図１５のアーキテクチャによれば、基地局１０５−ｄは通信管理モジュール１５３０をさらに含み得る。通信管理モジュール１５３０は、他の基地局１０５との通信を管理し得る。例として、通信管理モジュール１５３０は、バスを介して基地局１０５−ｄの他の構成要素のうちの一部または全部と通信している基地局１０５−ｄの構成要素であり得る。代替的に、通信管理モジュール１５３０の機能は、トランシーバモジュール１５５０の構成要素として、コンピュータプログラム製品として、および／またはプロセッサモジュール１５６５の１つまたは複数のコントローラ要素として実装され得る。
【０１２２】
[00142]基地局１０５−ｄのための構成要素、図１３のデバイス１３００に関して上記で説明した態様を実装するように構成され得、簡潔のためにここでは繰り返さないことがある。たとえば、基地局１０５−ｄは、図１３のアップリンクリソーススケジューリングモジュール１３３０の一例であり得る、アップリンクリソーススケジューリングモジュール１３３０−ａを含み得る。さらに、アップリンクサービス比管理モジュール１３４０−ａはアップリンクサービス比管理モジュール１３４０の一例であり得、ローディング管理モジュール１３５０−ａはローディング管理モジュール１３５０の一例であり得る。いくつかの実施形態では、コントローラ１３０−ａは、アップリンクサービス比モジュール１３４０−ｂに関して上記で説明した態様を実装するように構成され得、簡潔のためにここでは繰り返さないことがある。基地局１０５−ｄおよびコントローラ１３０−ａは、別個のエンティティとしてまたは複合エンティティとして配備され得る。
【０１２３】
[00143]いくつかの実施形態では、アンテナ１５４５と併せて、基地局１０５−ｄの他の可能な構成要素とともに、トランシーバモジュール１５５０は、スケーリング係数に関する情報を基地局１０５−ｄからユーザ機器１１５−ｄに送信し得る。いくつかの実施形態では、アンテナ１５４５と併せて、基地局１０５−ｄの他の可能な構成要素とともに、トランシーバモジュール１５５０は、ユーザ機器１１５−ｄ、他の基地局１０５−ｍ／１０５−ｎ、またはコアネットワーク１３０−ａがマルチフロー動作を利用し得るように、アップリンクサービス比情報などの情報をこれらのデバイスまたはシステムに送信し得る。
【０１２４】
[00144]いくつかの実施形態では、基地局１０５−ｄのハンドオーバプロシージャを実行するためにハンドオーバモジュール１５２５が利用され得る。たとえば、ユーザ機器１１５−ｄが基地局１０５−ｄに現在リンクされている場合、ハンドオーバモジュール１５２５は、そのリンクを終了し、ユーザ機器１１５−ｄを別の基地局にハンドオーバするための（１つまたは複数の）プロシージャを実行し得る。代替的に、ユーザ機器１１５−ｄが他の基地局に現在リンクされている場合、ハンドオーバモジュール１５２５は、他の基地局がユーザ機器１１５−ｄを基地局１０５−ｄにハンドオーバしたとき、ユーザ機器１１５−ｄとのリンクを確立するための（１つまたは複数の）プロシージャを実行し得る。
【０１２５】
[00145]デバイス１５００のこれらの構成要素は、個別にまたは集合的に、ハードウェア中の適用可能な機能のうちの一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１２６】
[00146]図１６は、様々な実施形態による、マルチフロー動作におけるアップリンク報告のためのシステム１６００のブロック図である。このシステム１６００は、図１のシステム１００、図２のシステム２００、図６のシステム６００、図８のシステム８００、および／または図１５のシステム１５００の一例であり得る。基地局１０５−ｅおよび／またはデバイス１１５−ｅは、複数のアンテナを使用する多入力多出力（ＭＩＭＯ）通信が可能であり得る。基地局１０５−ｅはアンテナ１６３４−ａ〜１６３４−ｘを装備し得、モバイルデバイス１１５−ｅはアンテナ１６５２−ａ〜１６５２−ｎを装備し得る。基地局１０５−ｅは、図６および／または図８に示されているｅＮＢ６０５および／または８０５の一例であり得る。
【０１２７】
[00147]基地局１０５−ｅにおいて、送信機プロセッサ１６２０がデータソースからデータを受信し得る。送信機プロセッサ１６２０はデータを処理し得る。送信機プロセッサ１６２０はまた、基準シンボルとセル固有基準信号とを生成し得る。送信（ＴＸ）ＭＩＭＯプロセッサ１６３０が、適用可能な場合、データシンボル、制御シンボル、および／または基準シンボルに対して空間処理（たとえば、プリコーディング）を実行し得、出力シンボルストリームを送信変調器１６３２ａ〜１６３２ｘに与え得る。各変調器１６３２は、（たとえば、ＯＦＤＭなどのために）それぞれの出力シンボルストリームを処理して、出力サンプルストリームを取得し得る。各変調器１６３２はさらに、出力サンプルストリームを処理（たとえば、アナログへの変換、増幅、フィルタ処理、およびアップコンバート）して、ダウンリンク（ＤＬ）信号を取得し得る。一例では、変調器１６３２−ａ〜１６３２−ｘからのＤＬ信号は、それぞれアンテナ１６３４−ａ〜１６３４−ｘを介して送信され得る。
【０１２８】
[00148]送信機プロセッサ１６２０は、プロセッサ１６４０から情報を受信し得る。プロセッサ１６４０は、基地局１０５−ｅおよび１つまたは複数の他のサービング基地局との同時通信においてＵＥのためのアップリンクサービス比を決定するように構成され得る。たとえば、デバイス基地局１０５−ｅは、アップリンク通信のためにＵＥ１１５をサービスしていることがある。ＵＥ１１５は、マルチフロー動作を使用して別の基地局１０５と同時アップリンク通信していることがある。プロセッサ１６４０は、ＵＥのアップリンクサービスの一部分を基地局１０５−ｅに割り振り、ＵＥのアップリンクサービスの別の部分を他の基地局に割り振る、アップリンクサービス比を計算し得る。プロセッサ１６４０は、基地局１０５−ｅおよび他の基地局へのバッファステータス報告において使用するスケーリング係数をＵＥに送り得る。プロセッサ１６４０は、マルチフロー動作において同じＵＥのうちのいくつかをサービスしていることがある他の基地局に対して基地局１０５−ｅのローディングを決定し得る。プロセッサ１６４０は、基地局１０５−ｅと他の基地局との相対的ローディングに少なくとも部分的に基づいてＵＥのためのアップリンクサービス比を決定し得る。いくつかの実施形態では、プロセッサ１６４０は、汎用プロセッサ、送信機プロセッサ１６２０、および／または受信機プロセッサ１６３８の一部として実装され得る。メモリ１６４２がプロセッサ１６４０に結合され得る。
【０１２９】
[00149]モバイルデバイス１１５−ｅにおいて、モバイルデバイスアンテナ１６５２−ａ〜１６５２−ｎは、基地局１０５−ａからＤＬ信号を受信し得、受信された信号をそれぞれ復調器１６５４−ａ〜１６５４−ｎに与え得る。各復調器１６５４は、それぞれの受信信号を調整（たとえば、フィルタ処理、増幅、ダウンコンバート、およびデジタル化）して、入力サンプルを取得し得る。各復調器１６５４は、（たとえば、ＯＦＤＭなどのために）入力サンプルをさらに処理して、受信シンボルを取得し得る。ＭＩＭＯ検出器１６５６は、すべての復調器１６５４ａ〜１６５４ｎから受信シンボルを取得し、適用可能な場合は受信シンボルに対してＭＩＭＯ検出を実行し、検出シンボルを与え得る。受信機プロセッサ１６５８は、検出シンボルを処理（たとえば、復調、デインターリーブ、および復号）して、モバイルデバイス１１５−ｅに関して復号されたデータをデータ出力に与えて、復号された制御情報をプロセッサ１６８０、またはメモリ１６８２に与え得る。
【０１３０】
[00150]アップリンク（ＵＬ）上で、モバイルデバイス１１５−ｅにおいて、送信機プロセッサ１６６４がデータソースからデータを受信し、処理し得る。送信機プロセッサ１６６４はまた、基準信号のための基準シンボルを生成し得る。送信機プロセッサ１６６４からのシンボルは、適用可能な場合は送信ＭＩＭＯプロセッサ１６６６によってプリコーディングされ、復調器１６５４−ａ〜１６５４−ｎによって（たとえば、ＳＣ−ＦＤＭＡなどのために）さらに処理され、基地局１０５−ｅから受信された送信パラメータに従って基地局１０５−ｅに送信され得る。基地局１０５−ｅにおいて、モバイルデバイス１１５−ｅからのＵＬ信号は、アンテナ１６３４によって受信され、復調器１６３２によって処理され、適用可能な場合はＭＩＭＯ検出器１６３６によって検出され、受信機プロセッサによってさらに処理され得る。受信機プロセッサ１６３８は、復号されたデータをデータ出力とプロセッサ１６８０とに与え得る。いくつかの実施形態では、プロセッサ１６８０は、汎用プロセッサ、送信機プロセッサ１６６４、および／または受信機プロセッサ１６５８の一部として実装され得る。
【０１３１】
[00151]いくつかの実施形態では、プロセッサ１６８０は、ＵＥ１１５−ｅと複数のｅＮＢ１０５との間のマルチフロー動作におけるアップリンク報告を実行するように構成される。いくつかの実施形態では、プロセッサ１６８０は、ＵＥ１１５−ｅがアップリンク報告のためにｅＮＢにベアラまたは論理チャネルグループ（ＬＣＧ）を関連付ける、アップリンク報告のためのベアラレベルスプリッティングを利用する。これらの実施形態では、プロセッサ１６８０は、各ｅＮＢに関連付けられたＬＣＧバッファ中でのアップリンク送信のための利用可能なデータに基づいて、ｅＮＢごとに独立してアップリンク報告を実行し得る。いくつかの実施形態では、プロセッサ１６８０は、ＵＥ１１５−ｅがアップリンク報告のためにすべてのＬＣＧのためのバッファを共通プールにグループ化する、パケットレベルスプリッティングを利用する。これらの実施形態では、プロセッサ１６８０は、ＵＥ１１５−ｅのすべてのＬＣＧ中のデータを含む共通バッファプール中での送信のために利用可能なデータの総量に基づいてアップリンク報告を実行し得る。プロセッサ１６８０は、スケーリング係数を決定し、および／またはそのスケーリング係数をアップリンク報告のための共通バッファプール中のデータの量に適用し得る。
【０１３２】
[00152]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【０１３３】
[00153]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３４】
[00154]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１３５】
[00155]本明細書で説明した機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェア／ファームウェアの性質により、上記で説明した機能は、たとえば、プロセッサ、ハードウェア、ハードワイヤリング、またはそれらの組合せによって実行されるソフトウェア／ファームウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣ、またはＡＢまたはＡＣまたはＢＣまたはＡＢＣ（すなわち、ＡおよびＢおよびＣ）を意味するような選言的列挙を示す。
【０１３６】
[00156]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１３７】
[00157]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
第１のセルおよび第２のセルと通信しているユーザ機器（ＵＥ）によるワイヤレス通信の方法であって、
前記ＵＥにおいて前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
前記第１のセルに第１のアップリンク報告を送信することと、前記第１のアップリンク報告は前記利用可能なデータに少なくとも部分的に基づき、
前記第２のセルに第２のアップリンク報告を送信することと、前記第２のアップリンク報告は前記利用可能なデータに少なくとも部分的に基づく、を備える、方法。
［Ｃ２］
前記第１のアップリンク報告は前記第１のコンポーネントキャリア上で前記第１のセルに送信され、前記第２のアップリンク報告は前記第２のコンポーネントキャリア上で前記第２のセルに送信される、Ｃ１に記載の方法。
［Ｃ３］
前記第１のコンポーネントキャリアについてアップリンク許可要求の送信のための第１のリソースを割り当てる第１の構成を受信することと、
前記第２のコンポーネントキャリアについてアップリンク許可要求の送信のための第２のリソースを割り当てる第２の構成を受信することと、
をさらに備える、Ｃ２に記載の方法。
［Ｃ４］
前記第１のセルに論理チャネルグループの前記セットからの第１の論理チャネルグループを関連付けることと、
前記第１の論理チャネルグループに関連付けられた前記利用可能なデータの第１の量に少なくとも部分的に基づいて第１のバッファステータス値を決定することと、
前記第２のセルに論理チャネルグループの前記セットからの第２の論理チャネルグループを関連付けることと、
前記第２の論理チャネルグループに関連付けられた前記利用可能なデータの第２の量に少なくとも部分的に基づいて第２のバッファステータス値を決定することと、
をさらに備える、Ｃ１に記載の方法。
［Ｃ５］
前記第１のアップリンク報告は前記第１のバッファステータス値を含み、前記第２のアップリンク報告は前記第２のバッファステータス値を含む、Ｃ４に記載の方法。
［Ｃ６］
前記第１の論理チャネルグループと前記第２の論理チャネルグループとは前記ＵＥの無線リンク制御サブレイヤにおいて同じ論理チャネル識別子に関連付けられる、Ｃ４に記載の方法。
［Ｃ７］
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
をさらに備え、
前記第１のアップリンク報告は前記第１のバッファステータス値を含む、Ｃ１に記載の方法。
［Ｃ８］
前記第２のセルに関連付けられた後続のバッファステータス報告機会を検出することと、
前記第１のバッファステータス報告状態の前記発生の時に論理チャネルグループの前記セットのための前記利用可能なデータの前記総量に少なくとも部分的に基づいて第２のバッファステータス値を決定することと、
をさらに備え、
前記第２のアップリンク報告は前記第２のバッファステータス値を含む、Ｃ７に記載の方法。
［Ｃ９］
前記第１のアップリンク報告は、前記第１のコンポーネントキャリアの第１のリソースを使用して送信され、前記第２のアップリンク報告は、前記第２のコンポーネントキャリアの第２のリソースを使用して送信される、Ｃ８に記載の方法。
［Ｃ１０］
前記第１のリソースを要求するために前記第１のセルに第１のスケジューリング要求を送信することと、
前記第２のリソースを要求するために前記第２のセルに第２のスケジューリング要求を送信することと、
をさらに備える、Ｃ９に記載の方法。
［Ｃ１１］
前記第１のスケジューリング要求は前記第１のコンポーネントキャリア上で送信され、前記第２のスケジューリング要求は前記第２のコンポーネントキャリア上で送信される、Ｃ１０に記載の方法。
［Ｃ１２］
前記第２のセルに関連付けられた後続のバッファステータス報告機会を検出することと、
前記後続のバッファステータス報告機会の発生時に論理チャネルグループの前記セットのための前記利用可能なデータの後続の総量に少なくとも部分的に基づいて第２のバッファステータス値を決定することと、
をさらに備え、
前記第２のアップリンク報告は前記第２のバッファステータス値を含む、Ｃ７に記載の方法。
［Ｃ１３］
前記第１のセルに関連付けられた第１のバッファ報告係数と、前記第２のセルに関連付けられた第２のバッファ報告係数とを決定すること、
をさらに備える、Ｃ７に記載の方法。
［Ｃ１４］
論理チャネルグループの前記セットのための前記利用可能なデータの前記総量と前記第１のバッファ報告係数とに少なくとも部分的に基づいて前記第１のバッファステータス値を決定することと、
論理チャネルグループの前記セットのための前記利用可能なデータの前記総量と前記第２のバッファ報告係数とに少なくとも部分的に基づいて第２のバッファステータス値を決定することと、
をさらに備える、Ｃ１３に記載の方法。
［Ｃ１５］
前記第１のバッファ報告係数と前記第２のバッファ報告係数とは、前記第１のセルまたは前記第２のセルの一方または両方に関連付けられたローディング情報、チャネル品質、または測定サービスメトリックのうちの１つまたは複数に少なくとも部分的に基づいて前記ＵＥによって決定される、Ｃ１３に記載の方法。
［Ｃ１６］
論理チャネルグループの前記セットのうちの第１の論理チャネルグループのための前記第１のセルに関連付けられた第１のバッファ報告係数を決定することと、
論理チャネルグループの前記セットのうちの第２の論理チャネルグループのための前記第１のセルに関連付けられた第２のバッファ報告係数を決定することと、  
をさらに備える、Ｃ７に記載の方法。
［Ｃ１７］
前記第１のコンポーネントキャリアのアップリンク許可の第１の部分において前記第１の論理チャネルグループに関連付けられたデータの第１のセットを送信することをさらに備え、ここで、前記アップリンク許可の前記第１の部分は、前記第１のバッファ報告係数に従って前記第１の論理チャネルグループに割り振られ、
前記アップリンク許可の第２の部分において前記第２の論理チャネルグループに関連付けられたデータの第２のセットを送信することと、ここで、前記アップリンク許可の前記第２の部分は、前記第２のバッファ報告係数に従って前記第２の論理チャネルグループに割り当てられる、
をさらに備える、Ｃ１６に記載の方法。
［Ｃ１８］
ワイヤレス通信ネットワークの第１のセルによって実行されるワイヤレス通信のための方法であって、
ユーザ機器（ＵＥ）との通信のための第１のコンポーネントキャリアを確立することと、
前記第１のセルと第２のコンポーネントキャリア上で前記ＵＥと通信している第２のセルとのリソースを割り振るための前記ＵＥに関連付けられたアップリンクサービス比を決定することと、
前記第１のセルへの送信のための前記ＵＥにおいて利用可能なアップリンクデータの量を示すアップリンク報告を受信することと、
前記アップリンク報告に少なくとも部分的に基づいて前記ＵＥのための前記第１のコンポーネントキャリアのアップリンクリソースをスケジュールすることと、
を備える、方法。
［Ｃ１９］
前記アップリンクサービス比は、前記第１のセルまたは前記第２のセルの一方または両方に関連付けられたローディング情報に少なくとも部分的に基づいて決定される、Ｃ１８に記載の方法。
［Ｃ２０］
前記アップリンクサービス比に基づいて前記第１のコンポーネントキャリアのためのスケーリング係数を決定することと、
前記ＵＥに前記スケーリング係数を送信することと、
をさらに備える、Ｃ１８に記載の方法。
［Ｃ２１］
第１のセルおよび第２のセルと通信しているユーザ機器（ＵＥ）によるワイヤレス通信の方法であって、
前記ＵＥにおいて前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
前記利用可能なデータの前記総量をしきい値と比較することと、
前記比較に基づいて前記第１のセル、前記第２のセル、または両方に前記第１のバッファステータス値を報告することと、
を備える、方法。
［Ｃ２２］
前記報告することは、前記利用可能なデータの前記総量が前記しきい値を下回るとき、前記第１のセルに前記第１のバッファステータス値を報告することを備える、Ｃ２１に記載の方法。
［Ｃ２３］
前記報告することは、前記利用可能なデータの前記総量が前記しきい値に等しいかまたはそれを上回るとき、前記第１のセルと前記第２のセルとに前記第１のバッファステータス値を報告することを備える、Ｃ２１に記載の方法。
［Ｃ２４］
後続のバッファステータス報告状態が発生したことを検出することと、
前記後続のバッファステータス報告状態の発生時に論理チャネルグループの前記セットのための前記利用可能なデータの後続の総量に少なくとも部分的に基づいて第２のバッファステータス値を決定することと、
前記利用可能なデータの前記後続の総量を前記しきい値と比較することと、
前記利用可能なデータの前記後続の総量が前記しきい値を下回るとき、前記第２のセルへのバッファステータス値報告を中止することと、
をさらに備える、Ｃ２３に記載の方法。
［Ｃ２５］
前記第２のセルへのバッファステータス値報告を前記中止することは、前記第２のセルに０のバッファステータス値を報告することを備える、Ｃ２４に記載の方法。
［Ｃ２６］
前記利用可能なデータの前記後続の総量が前記しきい値を下回るとき、前記第１のセルに前記第２のバッファステータス値を報告することと、
前記利用可能なデータの前記後続の総量が前記しきい値に等しいかまたはそれを上回るとき、前記第１のセルと前記第２のセルとに前記第２のバッファステータス値を報告することと、
をさらに備える、Ｃ２４に記載の方法。
［Ｃ２７］
ワイヤレス通信ネットワークの第１のセルおよび第２のセルとの通信のための通信デバイスであって、
前記通信デバイスにおいて前記第１のセルに関連付けられた第１のコンポーネントキャリアを確立するための手段と、
前記通信デバイスにおいて、前記第１のコンポーネントキャリアを維持しながら、前記第２のセルに関連付けられた第２のコンポーネントキャリアを確立するための手段と、
前記通信デバイスからのアップリンク送信のための利用可能なデータを有する論理チャネルグループのセットを決定するための手段と、
前記第１のセルに第１のアップリンク報告を送信するための手段と、前記第１のアップリンク報告は前記利用可能なデータに少なくとも部分的に基づき、
前記第２のセルに第２のアップリンク報告を送信するための手段と、前記第２のアップリンク報告は前記利用可能なデータに少なくとも部分的に基づき、
を備える、通信デバイス。
［Ｃ２８］
前記第１のアップリンク報告は前記第１のコンポーネントキャリア上で前記第１のセルに送信され、前記第２のアップリンク報告は前記第２のコンポーネントキャリア上で前記第２のセルに送信される、Ｃ２７に記載の通信デバイス。
［Ｃ２９］
前記第１のコンポーネントキャリアについてのアップリンク許可要求の送信のための第１のリソースを割り当てる第１の構成を受信するための手段と、
前記第２のコンポーネントキャリアについてのアップリンク許可要求の送信のための第２のリソースを割り当てる第２の構成を受信するための手段と、
をさらに備える、Ｃ２８に記載の通信デバイス。
［Ｃ３０］
前記第１のセルに論理チャネルグループの前記セットからの第１の論理チャネルグループを関連付けるための手段と、
前記第１の論理チャネルグループに関連付けられた前記利用可能なデータの第１の量に少なくとも部分的に基づいて第１のバッファステータス値を決定するための手段と、
前記第２のセルに論理チャネルグループの前記セットからの第２の論理チャネルグループを関連付けるための手段と、
前記第２の論理チャネルグループに関連付けられた前記利用可能なデータの第２の量に少なくとも部分的に基づいて第２のバッファステータス値を決定するための手段と、
をさらに備える、Ｃ２７に記載の通信デバイス。
［Ｃ３１］
前記第１のアップリンク報告は前記第１のバッファステータス値を含み、前記第２のアップリンク報告は前記第２のバッファステータス値を含む、Ｃ３０に記載の通信デバイス。
［Ｃ３２］
第１のバッファステータス報告状態が発生したことを検出するための手段と、
前記第１のバッファステータス報告状態の発生時に論理チャネルグループの前記セットのための前記利用可能なデータの総量に少なくとも部分的に基づいて第１のバッファステータス値を決定するための手段と、
をさらに備え、
前記第１のアップリンク報告は前記第１のバッファステータス値を含む、Ｃ２７に記載の通信デバイス。
［Ｃ３３］
前記第１のセルに関連付けられた第１のバッファ報告係数と、前記第２のセルに関連付けられた第２のバッファ報告係数とを決定するための手段
をさらに備える、Ｃ３２に記載の通信デバイス。
［Ｃ３４］
ワイヤレス通信ネットワークの通信デバイスであって、
前記通信デバイスにおいてユーザ機器（ＵＥ）との通信のための第１のコンポーネントキャリアを確立するための手段と、
前記第１のセルと第２のコンポーネントキャリア上で前記ＵＥと通信している第２のセルとのリソースを割り振るための前記ＵＥに関連付けられたアップリンクサービス比を決定するための手段と、
前記第１のセルへの送信のための前記ＵＥにおいて利用可能なアップリンクデータの量を示すアップリンク報告を受信するための手段と、
前記アップリンク報告に少なくとも部分的に基づいて前記ＵＥのための前記第１のコンポーネントキャリアのアップリンクリソースをスケジュールするための手段と、
を備える、通信デバイス。
［Ｃ３５］
前記アップリンクサービス比は、前記第１のセルまたは前記第２のセルの一方または両方に関連付けられたローディング情報に少なくとも部分的に基づいて決定される、Ｃ３４に記載の通信デバイス。
［Ｃ３６］
前記アップリンクサービス比に基づいて前記第１のコンポーネントキャリアのためのスケーリング係数を決定するための手段と、
前記ＵＥに前記スケーリング係数を送信するための手段と、
をさらに備える、Ｃ３４に記載の通信デバイス。
［Ｃ３７］
ワイヤレス通信ネットワークの第１のセルおよび第２のセルとの通信のための通信デバイスであって、
前記通信デバイスにおいて前記第１のセルに関連付けられた第１のコンポーネントキャリアを確立するための手段と、
前記通信デバイスにおいて、前記第１のコンポーネントキャリアを維持しながら、前記第２のセルに関連付けられた第２のコンポーネントキャリアを確立するための手段と、
前記通信デバイスからのアップリンク送信のための利用可能なデータを有する論理チャネルグループのセットを決定するための手段と、
第１のバッファステータス報告状態が発生したことを検出するための手段と、
前記第１のバッファステータス報告状態の発生時に論理チャネルグループの前記セットのための前記利用可能なデータの総量に少なくとも部分的に基づいて第１のバッファステータス値を決定するための手段と、
前記利用可能なデータの前記総量をしきい値と比較するための手段と、
前記比較に基づいて前記第１のセル、前記第２のセル、または両方に前記第１のバッファステータス値を報告するための手段と、
を備える、通信デバイス。
［Ｃ３８］
報告するための前記手段は、前記利用可能なデータの前記総量が前記しきい値を下回るとき、前記第１のセルに前記第１のバッファステータス値を報告するように構成された、Ｃ３７に記載の通信デバイス。
［Ｃ３９］
報告するための前記手段は、前記利用可能なデータの前記総量が前記しきい値に等しいかまたはそれを上回るとき、前記第１のセルと前記第２のセルとに前記第１のバッファステータス値を報告するように構成された、Ｃ３７に記載の通信デバイス。
［Ｃ４０］
後続のバッファステータス報告状態が発生したことを検出するための手段と、
前記後続のバッファステータス報告状態の発生時に論理チャネルグループの前記セットのための前記利用可能なデータの後続の総量に少なくとも部分的に基づいて第２のバッファステータス値を決定するための手段と、
前記利用可能なデータの前記後続の総量を前記しきい値と比較するための手段と、
前記利用可能なデータの前記後続の総量が前記しきい値を下回るとき、前記第２のセルへのバッファステータス値報告を中止するための手段と、
をさらに備える、Ｃ３９に記載の通信デバイス。
［Ｃ４１］
前記第２のセルへのバッファステータス値報告を中止するための前記手段は、前記第２のセルに０のバッファステータス値を報告するように構成された、Ｃ４０に記載の通信デバイス。
［Ｃ４３］
第１のセルおよび第２のセルとのユーザ機器（ＵＥ）による通信のためのコンピュータプログラム製品であって、
前記ＵＥにおいて前記第１のセルに関連付けられた第１のコンポーネントキャリアを確立するためのコードと、
前記ＵＥにおいて、前記第１のコンポーネントキャリアを維持しながら、前記第２のセルに関連付けられた第２のコンポーネントキャリアを確立するためのコードと、
前記ＵＥからのアップリンク送信のための利用可能なデータを有する論理チャネルグループのセットを決定するためのコードと、
前記第１のセルに第１のアップリンク報告を送信するためのコードと、前記第１のアップリンク報告は前記利用可能なデータに少なくとも部分的に基づき、
前記第２のセルに第２のアップリンク報告を送信するためのコードと、前記第２のアップリンク報告は前記利用可能なデータに少なくとも部分的に基づき、
を備える非一時的コンピュータ可読媒体を備える、コンピュータプログラム製品。
［Ｃ４４］
前記第１のアップリンク報告は前記第１のコンポーネントキャリア上で前記第１のセルに送信され、前記第２のアップリンク報告は前記第２のコンポーネントキャリア上で前記第２のセルに送信される、Ｃ４３に記載のコンピュータプログラム製品。
［Ｃ４５］
前記非一時的コンピュータ可読媒体は、
前記第１のコンポーネントキャリアについてのアップリンク許可要求の送信のための第１のリソースを割り当てる第１の構成を受信するためのコードと、
前記第２のコンポーネントキャリアについてのアップリンク許可要求の送信のための第２のリソースを割り当てる第２の構成を受信するためのコードと、
をさらに備える、Ｃ４４に記載のコンピュータプログラム製品。
［Ｃ４６］
前記非一時的コンピュータ可読媒体は、
前記第１のセルに論理チャネルグループの前記セットからの第１の論理チャネルグループを関連付けるためのコードと、
前記第１の論理チャネルグループに関連付けられた前記利用可能なデータの第１の量に少なくとも部分的に基づいて第１のバッファステータス値を決定するためのコードと、
前記第２のセルに論理チャネルグループの前記セットからの第２の論理チャネルグループを関連付けるためのコードと、
前記第２の論理チャネルグループに関連付けられた前記利用可能なデータの第２の量に少なくとも部分的に基づいて第２のバッファステータス値を決定するためのコードと、
をさらに備える、Ｃ４３に記載のコンピュータプログラム製品。
［Ｃ４７］
前記第１のアップリンク報告は前記第１のバッファステータス値を含み、前記第２のアップリンク報告は前記第２のバッファステータス値を含む、Ｃ４６に記載のコンピュータプログラム製品。
［Ｃ４８］
前記非一時的コンピュータ可読媒体は、
第１のバッファステータス報告状態が発生したことを検出するためのコードと、
前記第１のバッファステータス報告状態の発生時に論理チャネルグループの前記セットのための前記利用可能なデータの総量に少なくとも部分的に基づいて第１のバッファステータス値を決定するためのコードと、
をさらに備え、
前記第１のアップリンク報告は前記第１のバッファステータス値を含む、Ｃ４３に記載のコンピュータプログラム製品。
［Ｃ４９］
前記非一時的コンピュータ可読媒体は、
前記第１のセルに関連付けられた第１のバッファ報告係数と、前記第２のセルに関連付けられた第２のバッファ報告係数とを決定するためのコード
をさらに備える、Ｃ４８に記載のコンピュータプログラム製品。
［Ｃ５０］
ワイヤレス通信ネットワークの第１のセルによる通信のためのコンピュータプログラム製品であって、
ユーザ機器（ＵＥ）との通信のための第１のコンポーネントキャリアを確立するコードと、
前記第１のセルと第２のコンポーネントキャリア上で前記ＵＥと通信している第２のセルとのリソースを割り振るための前記ＵＥに関連付けられたアップリンクサービス比を決定するためのコードと、
前記第１のセルへの送信のための前記ＵＥにおいて利用可能なアップリンクデータの量を示すアップリンク報告を受信するためのコードと、
前記アップリンク報告に少なくとも部分的に基づいて前記ＵＥのための前記第１のコンポーネントキャリアのアップリンクリソースをスケジュールするためのコードと、
を備える非一時的コンピュータ可読媒体を備える、コンピュータプログラム製品。
［Ｃ５１］
前記アップリンクサービス比は、前記第１のセルまたは前記第２のセルの一方または両方に関連付けられたローディング情報に少なくとも部分的に基づいて決定される、Ｃ５０に記載のコンピュータプログラム製品。
［Ｃ５２］
前記非一時的コンピュータ可読媒体は、
前記アップリンクサービス比に基づいて前記第１のコンポーネントキャリアのためのスケーリング係数を決定するためのコードと、
前記ＵＥに前記スケーリング係数を送信するためのコードと、
をさらに備える、Ｃ５０に記載のコンピュータプログラム製品。
［Ｃ５３］
第１のセルおよび第２のセルと通信しているユーザ機器（ＵＥ）において、前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
前記第１のセルに第１のアップリンク報告を送信することと、前記第１のアップリンク報告は前記利用可能なデータに少なくとも部分的に基づき、
前記第２のセルに第２のアップリンク報告を送信することと、前記第２のアップリンク報告は前記利用可能なデータに少なくとも部分的に基づき、
を行うように構成された少なくとも１つのプロセッサを備える通信デバイス。
［Ｃ５４］
前記少なくとも１つのプロセッサは、前記第１のコンポーネントキャリア上で前記第１のセルに前記第１のアップリンク報告を送信することと、前記第２のコンポーネントキャリア上で前記第２のセルに前記第２のアップリンク報告を送信することとを行うように構成された、Ｃ５３に記載の通信デバイス。
［Ｃ５５］
前記少なくとも１つのプロセッサは、
前記第１のコンポーネントキャリアについてのアップリンク許可要求の送信のための第１のリソースを割り当てる第１の構成を受信することと、
前記第２のコンポーネントキャリアについてのアップリンク許可要求の送信のための第２のリソースを割り当てる第２の構成を受信することと、
を行うようにさらに構成された、Ｃ５４に記載の通信デバイス。
［Ｃ５６］
前記少なくとも１つのプロセッサは、
前記第１のセルに論理チャネルグループの前記セットからの第１の論理チャネルグループを関連付けることと、
前記第１の論理チャネルグループに関連付けられた前記利用可能なデータの第１の量に少なくとも部分的に基づいて第１のバッファステータス値を決定することと、
前記第２のセルに論理チャネルグループの前記セットからの第２の論理チャネルグループを関連付けることと、
前記第２の論理チャネルグループに関連付けられた前記利用可能なデータの第２の量に少なくとも部分的に基づいて第２のバッファステータス値を決定することと、
を行うようにさらに構成された、Ｃ５３に記載の通信デバイス。
［Ｃ５７］
前記第１のアップリンク報告は前記第１のバッファステータス値を含み、前記第２のアップリンク報告は前記第２のバッファステータス値を含む、Ｃ５６に記載の通信デバイス。
［Ｃ５８］
前記少なくとも１つのプロセッサは、
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
を行うようにさらに構成され、
前記第１のアップリンク報告は前記第１のバッファステータス値を含む、
Ｃ５３に記載の通信デバイス。
［Ｃ５９］
前記少なくとも１つのプロセッサは、
前記第１のセルに関連付けられた第１のバッファ報告係数と、前記第２のセルに関連付けられた第２のバッファ報告係数とを決定するようにさらに構成された、Ｃ５８に記載の通信デバイス。
［Ｃ６０］
ワイヤレス通信ネットワークの第１のセルによって、ユーザ機器（ＵＥ）との通信のための第１のコンポーネントキャリアを確立することと、
前記第１のセルと第２のコンポーネントキャリア上で前記ＵＥと通信している第２のセルとのリソースを割り振るための前記ＵＥに関連付けられたアップリンクサービス比を決定することと、
前記第１のセルへの送信のための前記ＵＥにおいて利用可能なアップリンクデータの量を示すアップリンク報告を受信することと、
前記アップリンク報告に少なくとも部分的に基づいて前記ＵＥのための前記第１のコンポーネントキャリアのアップリンクリソースをスケジュールすることと、
を行うように構成された少なくとも１つのプロセッサを備える通信デバイス。
［Ｃ６１］
前記アップリンクサービス比は、前記第１のセルまたは前記第２のセルの一方または両方に関連付けられたローディング情報に少なくとも部分的に基づいて決定される、Ｃ６０に記載の通信デバイス。
［Ｃ６２］
前記少なくとも１つのプロセッサは、
前記アップリンクサービス比に基づいて前記第１のコンポーネントキャリアのためのスケーリング係数を決定することと、
前記ＵＥに前記スケーリング係数を送信することと、
を行うようにさらに構成された、Ｃ６０に記載の通信デバイス。
［Ｃ６３］
第１のセルおよび第２のセルと通信しているユーザ機器（ＵＥ）において、前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
前記利用可能なデータの前記総量をしきい値と比較することと、
前記比較に基づいて前記第１のセル、前記第２のセル、または両方に前記第１のバッファステータス値を報告することと、
を行うように構成された少なくとも１つのプロセッサを備える通信デバイス。
［Ｃ６４］
報告するように構成された前記少なくとも１つのプロセッサは、前記利用可能なデータの前記総量が前記しきい値を下回るとき、前記第１のセルに前記第１のバッファステータス値を報告するようにさらに構成された、Ｃ６３に記載の通信デバイス。
［Ｃ６５］
報告するように構成された前記少なくとも１つのプロセッサは、前記利用可能なデータの前記総量が前記しきい値に等しいかまたはそれを上回るとき、前記第１のセルと前記第２のセルとに前記第１のバッファステータス値を報告するようにさらに構成された、Ｃ６３に記載の通信デバイス。
［Ｃ６６］
前記少なくとも１つのプロセスは、
後続のバッファステータス報告状態が発生したことを検出することと、
前記後続のバッファステータス報告状態の発生時に論理チャネルグループの前記セットのための前記利用可能なデータの後続の総量に少なくとも部分的に基づいて第２のバッファステータス値を決定することと、
前記利用可能なデータの前記後続の総量を前記しきい値と比較することと、
前記利用可能なデータの前記後続の総量が前記しきい値を下回るとき、前記第２のセルへのバッファステータス値報告を中止することと、
を行うようにさらに構成された、Ｃ６５に記載の通信デバイス。
［Ｃ６７］
前記第２のセルへのバッファステータス値報告を中止するように構成された前記少なくとも１つのプロセッサは、前記第２のセルに０のバッファステータス値を報告するように構成された、Ｃ６６に記載の通信デバイス。
【図１】
0006498642.tif 000004
【図２】
0006498642.tif 000005
【図３】
0006498642.tif 000006
【図４】
0006498642.tif 000007
【図５】
0006498642.tif 000008
【図６】
0006498642.tif 000009
【図７】
0006498642.tif 000010
【図８】
0006498642.tif 000011
【図９Ａ】
0006498642.tif 000012
【図９Ｂ】
0006498642.tif 000013
【図１０Ａ】
0006498642.tif 000014
【図１０Ｂ】
0006498642.tif 000015
【図１１】
0006498642.tif 000016
【図１２Ａ】
0006498642.tif 000017
【図１２Ｂ】
0006498642.tif 000018
【図１２Ｃ】
0006498642.tif 000019
【図１３】
0006498642.tif 000020
【図１４】
0006498642.tif 000021
【図１５】
0006498642.tif 000022
【図１６】
0006498642.tif 000023